(57)【要約】【課題】サウンディング参照信号を送信するための通信方法が提供される。【解決手段】基地局装置が、ダウンリンク制御情報フォーマットを用いて、アップリンクコンポーネントキャリアにおける物理アップリンク共有チャネルをスケジューリングする移動体通信システムにおけるユーザ機器の通信方法であって、サウンディング参照信号の送信を指示する第１の情報と、前記ダウンリンク制御情報フォーマットによって、前記物理アップリンク共有チャネルがスケジューリングされる前記アップリンクコンポーネントキャリアを示す第２の情報とを含む、前記ダウンリンク制御情報フォーマットを、前記基地局装置から受信し、前記第１の情報を検出した場合、前記第２の情報によって示される前記アップリンクコンポーネントキャリアにおいて前記サウンディング参照信号を前記基地局装置に送信することを特徴とする。【選択図】図１
2015006003.tif 000002
【特許請求の範囲】
【請求項１】
基地局装置と通信するユーザ機器であって、
サウンディング参照信号の送信に対する周期およびサブフレームオフセットを設定し、
前記サウンディング参照信号の送信を要求する情報が含まれ、且つ、物理上りリンク共用チャネルのスケジューリングに用いられる下りリンク制御情報を受信し、
サブフレームｎにおいて前記情報を検出した場合に、ｎ’≧ｎ＋４を満たす、最初のサブフレームｎ’において、前記サウンディング参照信号を送信し、
前記最初のサブフレームｎ’は、前記周期およびサブフレームオフセットに基づく、
ユーザ機器。
【請求項２】
ユーザ機器と通信する基地局装置であって、
サウンディング参照信号の送信に対する周期およびサブフレームオフセットを設定し、
前記サウンディング参照信号の送信を要求する情報が含まれ、且つ、物理上りリンク共用チャネルのスケジューリングに用いられる下りリンク制御情報を送信し、
サブフレームｎにおいて前記情報を送信した場合に、ｎ’≧ｎ＋４を満たす、最初のサブフレームｎ’において、前記サウンディング参照信号を受信し、
前記最初のサブフレームｎ’は、前記周期およびサブフレームオフセットに基づく、
基地局装置。
【請求項３】
基地局装置と通信するユーザ機器の通信方法であって、
サウンディング参照信号の送信に対する周期およびサブフレームオフセットを設定し、
前記サウンディング参照信号の送信を要求する情報が含まれ、且つ、物理上りリンク共用チャネルのスケジューリングに用いられる下りリンク制御情報を受信し、
サブフレームｎにおいて前記情報を検出した場合に、ｎ’≧ｎ＋４を満たす、最初のサブフレームｎ’において、前記サウンディング参照信号を送信し、
前記最初のサブフレームｎ’は、前記周期およびサブフレームオフセットに基づく、
通信方法。
【請求項４】
ユーザ機器と通信する基地局装置の通信方法であって、
サウンディング参照信号の送信に対する周期およびサブフレームオフセットを設定し、
前記サウンディング参照信号の送信を要求する情報が含まれ、且つ、物理上りリンク共用チャネルのスケジューリングに用いられる下りリンク制御情報を送信し、
サブフレームｎにおいて前記情報を送信した場合に、ｎ’≧ｎ＋４を満たす、最初のサブフレームｎ’において、前記サウンディング参照信号を受信し、
前記最初のサブフレームｎ’は、前記周期およびサブフレームオフセットに基づく、
通信方法。
【請求項５】
基地局装置と通信するユーザ機器に搭載される集積回路であって、
サウンディング参照信号の送信に対する周期およびサブフレームオフセットを設定する機能と、
前記サウンディング参照信号の送信を要求する情報が含まれ、且つ、物理上りリンク共用チャネルのスケジューリングに用いられる下りリンク制御情報を受信する機能と、
サブフレームｎにおいて前記情報を検出した場合に、ｎ’≧ｎ＋４を満たす、最初のサブフレームｎ’において、前記サウンディング参照信号を送信する機能と、を前記ユーザ機器に実行させ、
前記最初のサブフレームｎ’は、前記周期およびサブフレームオフセットに基づく、
集積回路。
【請求項６】
ユーザ機器と通信する基地局装置に搭載される集積回路であって、
サウンディング参照信号の送信に対する周期およびサブフレームオフセットを設定する機能と、
前記サウンディング参照信号の送信を要求する情報が含まれ、且つ、物理上りリンク共用チャネルのスケジューリングに用いられる下りリンク制御情報を送信する機能と、
サブフレームｎにおいて前記情報を送信した場合に、ｎ’≧ｎ＋４を満たす、最初のサブフレームｎ’において、前記サウンディング参照信号を受信する機能と、を前記基地局装置に実行させ、
前記最初のサブフレームｎ’は、前記周期およびサブフレームオフセットに基づく、
集積回路。
【発明の詳細な説明】
【技術分野】
【０００１】
本発明は通信技術に関するものである。特に、サウンディング参照信号の送信に対する移動体通信方法およびシステム、および基地局、ユーザ機器、およびこれらに搭載されて用いられる集積回路に関するものである。
【背景技術】
【０００２】
３ＧＰＰ（第３世代パートナーシッププロジェクト；The 3rd Generation Partnership Project）標準化組織は、ＬＴＥ（Long Term Evolution）と命名された次世代の無線通信標準（wireless communication standard）を策定している。当該新しい標準は、物理層のインターフェースにＯＦＤＭ（直交周波数分割多重；Orthogonal Frequency Division Multiplexing）技術を採用しており、これは、従来のＣＤＭＡ（符号分割多重アクセス；Code Division Multiple Access）技術とは異なる。ＬＴＥにおいて、ＯＦＤＭＡ（直交周波数分割多重アクセス；Orthogonal Frequency Division Multiple Access）はダウンリンク（downlink；ＤＬ）で用いられ、ＳＣＦＤＭＡ（単一キャリア周波数分割多重アクセス；Single Carrier Frequency Division Multiple Access）はアップリンク（uplink；ＵＬ）で用いられる。従来の時間領域の同等化の複雑度を下げる、周波数領域の同等化を採用したことにより、当該新しい標準で用いられる技術は多重伝搬（multi-path propagation）に対して効果的であり、高速データ通信により適している。
【０００３】
ＬＴＥシステムにおいては、ＵＥ（ユーザ機器；User Equipment）は、ｅＮＢ（発展ノードＢ；evolved NodeB）のスケジューリングにしたがって、アップリンクでＳＲＳ（サウンディング参照信号；Sounding Reference Signal）を送信する。ＳＲＳは、ＵＬの出力制御や時間追跡などの他の目的と同様に、ＵＬの周波数選択的なスケジューリングを容易にするための広帯域サウンディング信号として設計される。また、ＴＤＤ（時分割二重；Time Division Duplexing）では、チャネル相互関係（channel reciprocity）の利用によって、ダウンリンクスケジューリングにも使われる。現行のＬＴＥ標準（下記の非特許文献１を参照）によれば、ＳＲＳを送信するための主な手順には以下が含まれる。すなわち、ｅＮＢ（または基地局）は、ユーザ機器（または移動局）に対して、必要に応じて、指定されたセルにおいて共通するセル固有のＳＲＳ設定パラメータをブロードキャスト（broadcast）する；また、ｅＮＢは、指定されたＵＥに対して専用のＳＲＳパラメータを設定するために、ＵＥ固有のＲＲＣシグナリング（無線リソース制御シグナリング；Radio Resource Control signaling）をＵＥに送信する；さらに、ＵＥは、パラメータにしたがって、設定された帯域幅およびサブフレームにおいて、周期的にＳＲＳを送信する。例えば、ｅＮＢは｛２，５，１０，２０，４０，８０，１６０，３２０｝ｍｓを周期（ＳＲＳの送信インターバル）としてＵＥに設定する。以下では、この周期的なＳＲＳの送信を「ピリオディック（periodic）ＳＲＳ（ピリオディックＳＲＳの送信）」と称する。加えて、ＬＴＥでは、ｅＮＢは、ＵＥ固有のＲＲＣシグナリングを使って、１回限りのピリオディックＳＲＳの送信をユーザ機器に設定する。ここで、ｅＮＢは、準静的に（semi-statically）ＲＲＳシグナリングを（例えば１００ｍｓごとに）送信してもよい。
【０００４】
３ＧＰＰは、ＬＴＥアドバンスド（Advanced-LTE）も策定しており、ＬＴＥアドバンスドは、ＬＴＥに対して主要な機能強化となる見込みである。ＬＴＥアドバンスドは、ＬＴＥリリース９の修正および改良フェーズの後に、リリース１０で導入される見通しである。ＬＴＥアドバンスドは、ＩＴＵ（国際電気通信連合；International Telecommunication Union）が定めた要求仕様を満たさなければならない。ＬＴＥアドバンスドにおいては、ＳＲＳは、上記のＬＴＥの目的に加え、チャネルの相互関係を利用した複数のセルにおけるＣＳＩ（チャネル状態情報；Channel State Information）の推定に使われる。ＳＲＳの設計は、複数の送信アンテナ、ＣｏＭＰ（協調的多地点送受信；Coordinated Multipoint Transmission/Reception）、異機種環境ネットワークのサポートなどの、ＬＴＥアドバンスドの特徴を考慮する必要がある。
【０００５】
ＬＴＥアドバンスドにおけるＳＲＳの送信に関して、ワンスケジュールド（非周期的な／１回限りの）ＳＲＳスキームが提案されている（下記の非特許文献２を参照）。このスキームでは、スケジュールドＳＲＳ（scheduled SRS）に対するＳＲＳのパラメータは、上位層の信号を通して設定される。ここで、スケジュールドＳＲＳは、ＵＬグラント（ＵＬ送信許可信号；UL transmission permission signal）に含まれるＳＲＳインディケータ（SRS-indicator）を用いてトリガされ、ｅＮＢは動的にＵＬグラントを送信する（例えば、１ｍｓごとに）ことができる。さらに、新しいＰＤＣＣＨ（物理ダウンリンク制御チャネル；Physical Downlink Control Channel）のフォーマットを定義することが提案されている。このフォーマットは、ＰＵＳＣＨ（物理アップリンク共有チャネル；Physical Uplink Shared Channel）をスケジューリングする必要なく、多くのＵＥに対して同時にスケジュールドＳＲＳをトリガするためのものである。ここで、スケジュールドＳＲＳは、本質的には「１回限りの（one-shot）」割り当て／送信といった種類のものである。
【０００６】
さらに、ＬＴＥアドバンスドでは、より広域の送信帯域幅をサポートするために、キャリアアグリゲーション（carrier aggregation）がサポートされる（下記の非特許文献３を参照）。ＬＴＥアドバンスドは、ＬＴＥリリース８よりも広域の帯域幅（最大１００ＭＨｚ）をサポートすることが決定されている。一般的に、連続的な周波数域が用いられるが、妥当なＵＥの複雑性を検討しつつ、非連続的な周波数域も同様にサポートされる。すなわち、ＩＴＵが定めた要求仕様を満たすための明らかな方法は、キャリアアグリゲーションを利用することである。また、複数のコンポーネントキャリアは、所望のＬＴＥアドバンスドシステムの帯域幅として集約される。原理的には、コンポーネントキャリアは、周波数において連続的または非連続的のいずれであってもよい。基地局（base station；ＢＳ）およびユーザ機器は、より広域の送信帯域幅において、集約された複数のコンポーネントキャリアで通信することができる。例えば、基地局およびユーザ機器は、５つの２０ＭＨｚのコンポーネントキャリア（５×２０ＭＨｚ＝１００ＭＨｚ）によって集約された１００ＭＨｚの帯域幅で通信してもよい。コンポーネントキャリアは、より広域の送信帯域幅を構成する各周波数帯域幅（または各キャリア周波数）である。より詳しくは、基地局およびユーザ機器は、集約された複数のＤＬＣＣｓ（ダウンリンクコンポーネントキャリア；Downlink Component Carrier(s)）および集約された複数のＵＬ ＣＣｓ（アップリンクコンポーネントキャリア；Uplink Component Carrier(s)）を用いることによって通信することができる。ここで、ＤＬ ＣＣｓの数およびＵＬ ＣＣｓの数は同じであってもよい（すなわち、対称キャリアアグリゲーション（Symmetric carrier aggregation）。または、ＤＬ ＣＣｓの数およびＵＬ ＣＣｓの数は異なってもよい（すなわち、非対称キャリアアグリゲーション（Asymmetric carrier aggregation）。
【０００７】
また、キャリアアグリゲーションを十分にサポートするために、クロスキャリアスケジューリング（cross-carrier scheduling、コンポーネントキャリアを超えたスケジューリング）および関連する制御信号（control signaling）が、広く議論されている。ＰＤＳＣＨ（物理ダウンリンク共有チャネル；Physical Downlink Shared Channel）およびＰＵＳＣＨに対するリソース割り当ての制御信号に関して、次の方法がサポートされる（下記の非特許文献４を参照）。すなわち、あるコンポーネントキャリアにおける（ＤＬまたはＵＬのための）ＰＤＣＣＨは、同一のコンポーネントキャリアにおけるＰＤＳＣＨのリソース、および、単一のリンクされたアップリンクコンポーネントキャリア（ＵＬＣＣ）におけるＰＵＳＣＨのリソースを割り当てるために使用される。ここで、符号化やＣＣＥ（制御チャネルエレメント；Control Channel Element）ベースのリソースマッピングなどを含むＬＴＥ（リリース８）のＰＤＣＣＨの構造は、各コンポーネントキャリアにおいて利用される。ＬＴＥ（リリース８）のＰＤＣＣＨと同一のフォーマット（ＤＣＩ（ダウンリンク制御情報；Downlink Control Information）フォーマット）が、各コンポーネントキャリアにおいて利用される。さらに、あるコンポーネントキャリアにおけるＰＤＣＣＨは、キャリアインディケータ（carrier indicator；ＣＩ）フィールドを用いることによって、複数のコンポーネントキャリアのうちの１つのコンポーネントキャリアにおけるＰＤＳＣＨリソース、または、ＰＵＳＣＨリソースを割り当てるために使用される。例えば、ＤＣＩフォーマットは、固定された３ビットのＣＩフィールドによって拡張される。ｅＮＢは、スケジュールされるコンポーネントキャリアを示すＣＩフィールドをＰＤＣＣＨで送信することによって、ＰＤＳＣＨリソースまたはＰＵＳＣＨリソースを、ＵＥに割り当てることができる。
【先行技術文献】
【非特許文献】
【０００８】
【非特許文献１】“3GPP TSG RAN E-UTRA Physical layer procedure (Release 8)”，3GPP TS 36.213 V8.8.0, 2009-09
【非特許文献２】“Channel sounding enhancements for LTE-Advanced”，3GPP TSG RAN WG1 Meeting #59, R1-094653, Nov, 2009
【非特許文献３】“Carrier aggregation in LTE-Advanced”，3GPP TSG RAN WG1 Meeting #53bis, R1-082468, June, 2008
【非特許文献４】“TP for TR36.814 on downlink control signaling for carrier aggregation”，3GPP TSG RAN WG1 Meeting #59, R1-094959, Nov, 2009
【発明の概要】
【発明が解決しようとする課題】
【０００９】
しかし、上記の従来技術においては、スケジュールドＳＲＳを送信するためにｅＮＢとＵＥとの間でどのような種類のやり取りが行われるかについて、具体的な記述が存在しなかった。すなわち、スケジュールドＳＲＳのためのＳＲＳパラメータが上位層の信号を通して設定されることが記載されているに過ぎず、スケジュールドＳＲＳを送信するために、ｅＮＢがどのようにＵＥを設定するのか、および、ＵＥがｅＮＢへスケジュールドＳＲＳをどのように送信するのかについての、具体的な記載が存在しなかった。
【００１０】
ＬＴＥアドバンスドにおけるＳＲＳの送信に関して、ｅＮＢによる効率的なスケジューリングを行うために、より短い期間、および／または、より広域の帯域幅でＳＲＳを送信することが必要となる。すなわち、ＳＲＳの送信は、相応に多くのＳＲＳリソースを消費することになる。ＳＲＳの送信の性能は、ｅＮＢによる効率的なスケジューリングを制限するボトルネックになる。加えて、ｅＮＢは、ＵＥからＳＲＳが送信されることによってセル内で生じる干渉を考慮すべきである。例えば、ＵＥがＰＵＳＣＨを用いてアップリンクデータ（ＵＬ−ＳＣＨ（UL-Shared Channel）に対するトランスポートブロック）を送信する際に、他のＵＥが同じサブフレームでＳＲＳを送信すると、セル内で干渉が生じてしまう。これは、ＰＵＳＣＨリソースとＳＲＳリソースとが重複する（衝突する）からである。
【００１１】
本発明は、上記の状況に鑑みてなされたものであり、その目的は、移動体通信方法およびシステム、および基地局、ユーザ機器、およびこれらに搭載されて用いられる集積回路を提供することである。これらは、スケジュールドＳＲＳを送信するための柔軟な送信制御を可能にし、ｅＮＢとユーザ機器との間のより効率的な送信制御（スケジューリング）を可能にする。
【課題を解決するための手段】
【００１２】
（１）上記の目的を達成するために、本発明は、以下のような手段を講じた。すなわち本発明のユーザー機器においては、基地局装置と通信するユーザ機器であって、サウンディング参照信号の送信に対する周期およびサブフレームオフセットを設定し、前記サウンディング参照信号の送信を要求する情報が含まれ、且つ、物理上りリンク共用チャネルのスケジューリングに用いられる下りリンク制御情報を受信し、サブフレームｎにおいて前記情報を検出した場合に、ｎ’≧ｎ＋４を満たす、最初のサブフレームｎ’において、前記サウンディング参照信号を送信し、前記最初のサブフレームｎ’は、前記周期およびサブフレームオフセットに基づく、ことを特徴とする。
【００１３】
（２）また本発明の基地局装置においては、ユーザ機器と通信する基地局装置であって、サウンディング参照信号の送信に対する周期およびサブフレームオフセットを設定し、前記サウンディング参照信号の送信を要求する情報が含まれ、且つ、物理上りリンク共用チャネルのスケジューリングに用いられる下りリンク制御情報を送信し、サブフレームｎにおいて前記情報を送信した場合に、ｎ’≧ｎ＋４を満たす、最初のサブフレームｎ’において、前記サウンディング参照信号を受信し、前記最初のサブフレームｎ’は、前記周期およびサブフレームオフセットに基づく、ことを特徴とする。
【００１４】
（３）また本発明の通信方法においては、基地局装置と通信するユーザ機器の通信方法であって、サウンディング参照信号の送信に対する周期およびサブフレームオフセットを設定し、前記サウンディング参照信号の送信を要求する情報が含まれ、且つ、物理上りリンク共用チャネルのスケジューリングに用いられる下りリンク制御情報を受信し、サブフレームｎにおいて前記情報を検出した場合に、ｎ’≧ｎ＋４を満たす、最初のサブフレームｎ’において、前記サウンディング参照信号を送信し、前記最初のサブフレームｎ’は、前記周期およびサブフレームオフセットに基づく、ことを特徴とする。
【００１５】
（４）また本発明の通信方法においては、ユーザ機器と通信する基地局装置の通信方法であって、サウンディング参照信号の送信に対する周期およびサブフレームオフセットを設定し、前記サウンディング参照信号の送信を要求する情報が含まれ、且つ、物理上りリンク共用チャネルのスケジューリングに用いられる下りリンク制御情報を送信し、サブフレームｎにおいて前記情報を送信した場合に、ｎ’≧ｎ＋４を満たす、最初のサブフレームｎ’において、前記サウンディング参照信号を受信し、前記最初のサブフレームｎ’は、前記周期およびサブフレームオフセットに基づく、ことを登頂とする。
【００１６】
（５）また本発明の集積回路においては、基地局装置と通信するユーザ機器に搭載される集積回路であって、サウンディング参照信号の送信に対する周期およびサブフレームオフセットを設定する機能と、前記サウンディング参照信号の送信を要求する情報が含まれ、且つ、物理上りリンク共用チャネルのスケジューリングに用いられる下りリンク制御情報を受信する機能と、サブフレームｎにおいて前記情報を検出した場合に、ｎ’≧ｎ＋４を満たす、最初のサブフレームｎ’において、前記サウンディング参照信号を送信する機能と、を前記ユーザ機器に実行させ、前記最初のサブフレームｎ’は、前記周期およびサブフレームオフセットに基づく、ことを特徴とする。
【００１７】
（６）ユーザ機器と通信する基地局装置に搭載される集積回路であって、サウンディング参照信号の送信に対する周期およびサブフレームオフセットを設定する機能と、前記サウンディング参照信号の送信を要求する情報が含まれ、且つ、物理上りリンク共用チャネルのスケジューリングに用いられる下りリンク制御情報を送信する機能と、サブフレームｎにおいて前記情報を送信した場合に、ｎ’≧ｎ＋４を満たす、最初のサブフレームｎ’において、前記サウンディング参照信号を受信する機能と、を前記基地局装置に実行させ、前記最初のサブフレームｎ’は、前記周期およびサブフレームオフセットに基づく、ことを特徴とする。
【発明の効果】
【００１８】
本発明によれば、基地局は、ＳＲＳを送信するための送信制御を柔軟に行うことができる。これにより、基地局とユーザ機器との間で、より効率的な送信制御（スケジューリング）が可能となる。
【図面の簡単な説明】
【００１９】
【図１】本発明における信号の通信フローの一例を示す概略図である。
【図２】本発明における信号の通信フローの他の一例を示す概略図である。
【図３】本発明の第１の実施形態に係るスケジュールドＳＲＳを送信するための方法を説明する概略図である。
【図４】本発明の第２の実施形態に係るスケジュールドＳＲＳを送信するための方法を示す概略図である。
【図５】本発明の第３の実施形態に係るスケジュールドＳＲＳを送信するための方法を示す概略図である。
【図６】本発明の第４の実施形態に係るスケジュールドＳＲＳを送信するための方法を示す概略図である。
【図７】本発明の第５の実施形態に係るスケジュールドＳＲＳを送信するための方法を示す概略図である。
【図８】本発明に係る基地局の構成例を概略的に示す機能ブロック図である。
【図９】本発明に係るユーザ機器の構成例を概略的に示す機能ブロック図である。
【発明を実施するための形態】
【００２０】
本願発明の実施形態は、上記の図面を参照することにより最もよく理解されるだろう。ここで、同種の部分は同様の符号で示される。上記に一覧される図面は、詳細な説明の一部として明示的に包含される。
【００２１】
本願発明の構成は、当該図面で一般的に表現され、図示されるものとして、幅広い種類の異なる構成として変形および設計され得る。したがって、本願発明に係る方法およびシステムの実施形態についての詳細な記載は、本発明の技術的範囲を制限することを意図するものではなく、本発明の現在望ましい実施形態を表現するものに過ぎない。
【００２２】
本願発明によれば、無線通信システムにおいてサウンディング参照信号（ＳＲＳ）を送信するための通信方法は、主にスケジュールドＳＲＳの送信（上記の非特許文献２で言及されている）を目的としている。
【００２３】
本願発明に係る通信方法は以下の基本的なステップを含む。すなわち、（１）基地局（base station；ＢＳ）は、ＳＲＳ（サウンディング参照信号；sounding reference signal）を送信するためのパラメータをユーザ機器（user equipment；ＵＥ）に設定する、（２）また、ＢＳは、ＳＲＳの送信を指示する情報を含んだアップリンク送信許可信号（uplink transmission permission signal）を送信する、そして（３）ＵＥは、ＳＲＳの送信を指示する情報を受信した後、受信したＳＲＳのパラメータにしたがって、スケジュールドＳＲＳの情報を送信する。
【００２４】
図１は、本発明のＳＲＳの送信における信号の通信フローの一例を示す概略図（schematic diagram）である。
【００２５】
図１に示されるように、本発明のＳＲＳの送信における信号の通信フローは、以下のステップを含む。すなわち、基地局（ＢＳ）１００は、例えば、ブロードキャストチャネルを用いて、ＳＲＳを送信するためのパラメータをユーザ機器２００にセル固有（cell-specifically）に設定する（ステップ３０１）。例えば、ＢＳは、ＤＬ−ＳＣＨ（ダウンリンク共有チャネル；downlink shared channel）にマップされたシステム情報ブロック（System Information Block；ＳＩＢ）を通して、ＵＥにパラメータを割り当てる。本発明において、セル固有に設定されるパラメータには、ＳＲＳ帯域幅、ＳＲＳサブフレーム（例えば、位置）、およびＳＲＳを送信するためのアンテナ、またはＳＲＳに関する任意の他の情報が含まれる。このようなセル固有のパラメータは、基地局によって制御されるユーザ機器が、ＳＲＳを送信することが可能な時間−周波数リソース（ＳＲＳ帯域幅およびＳＲＳサブフレームなど）を指定するために使用される。ここで、セル固有のパラメータは、ピリオディック、および／または、スケジュールドＳＲＳの情報に対するパラメータを含んでいてもよい。
【００２６】
さらに、基地局は、例えば、ＲＲＣシグナリング（無線リソース制御シグナリング；Radio Resource Control signaling）を用いて、スケジュールドＳＲＳを送信するためのパラメータを、ＵＥ固有（UE-specifically）に設定する（ステップ３０２）。本発明において、ＵＥ固有に設定されるパラメータには、送信コーム（transmission comb、ＳＲＳの周波数領域における開始位置を計算するための周波数オフセット）、ＳＲＳサブフレームオフセット、ＳＲＳ帯域幅、サイクリックシフト（cyclic shift、ＳＲＳシーケンス生成のための３ビット）などが含まれる。ユーザ機器は、これらのセル固有およびＵＥ固有のパラメータを受信した後、スケジュールドＳＲＳを送信するために必要となるパラメータを設定する（ステップ３０３）。代替例においては、ユーザ機器が、ＲＲＣシグナリングによって割り当てられたリソースを用いて、スケジュールドＳＲＳを基地局に送信できるように、ＲＲＣシグナリングを用いてスケジュールドＳＲＳを送信するためのリソースを、基地局がユーザ機器にさらに割り当てる。
【００２７】
ステップ３０４において、基地局は、ＳＲＳ送信（スケジュールドＳＲＳの送信）を指示するためのアップリンク送信許可信号（UL_grant）をユーザ機器に送信する。例えば、基地局は、アップリンク送信許可信号にＤＣＩ（ダウンリンク制御情報；Downlink Control Information、これはダウンリンク制御情報フォーマットによって送信される）として含まれるインディケータ（以下、「ＳＲＳリクエスト」と称する）を用いて、ＳＲＳの送信をユーザ機器に指示する。ここで、ＤＣＩには、アップリンクデータを送信するためのＰＵＳＣＨに対するリソース割り当てが含まれる。言い換えれば、基地局は、スケジュールドＳＲＳの送信を指示する情報（以下では、「イネーブルド（enabled）ＳＲＳリクエスト」と称する）を含むアップリンク送信許可信号をユーザ機器に送信する。例えば、基地局は、スケジュールドＳＲＳの送信をトリガする（指示する）ために、アップリンク送信許可信号を動的に（例えば１ｍｓごとに）ユーザ機器に送信する。
【００２８】
ユーザ機器は、アップリンク送信許可信号を受信した後、特にスケジュールドＳＲＳの送信を指示する情報を受信した後（ステップ３０５）に、セル固有に、および／または、ユーザ機器固有に設定されたパラメータにしたがって、スケジュールドＳＲＳを基地局に送信する（ステップ３０６）。代替例においては、ユーザ機器は、ＲＲＣシグナリングを通して基地局によって割り当てられたリソースを用いて、スケジュールドＳＲＳを基地局に送信する。基地局は、指定したリソースでスケジュールドＳＲＳを受信した後、ユーザ機器のアップリンクチャネルの状態を推定し、無線リソースをスケジューリングする（例えば、ＰＵＳＣＨのリソースを割り当てる、変調（modulation）する、符号化（coding）する）（ステップ３０７）。
【００２９】
図１は、基地局とユーザ機器とが信号を通信する際の手順の一例を示すに過ぎないことに注意されたい。代替例においては、基地局は、ピリオディック（periodic）ＳＲＳのパラメータ、および／または、スケジュールドＳＲＳのパラメータを、ユーザ機器にセル固有に設定してもよい。または、基地局は、ピリオディックＳＲＳのパラメータ、および／または、スケジュールドＳＲＳのパラメータを、ユーザ機器にユーザ機器固有に設定してもよい。したがって、本発明によるＳＲＳの送信方法では、スケジュールドＳＲＳのパラメータ設定は、異なる通信環境に対して、ステップ３０１（またはステップ３０２）のみ、または、ステップ３０１およびステップ３０２の両方を採用するものである。
【００３０】
図２は、本発明のＳＲＳの送信における信号の通信フローの他の一例を示す概略図である。
【００３１】
図２に示されるように、基地局は、ブロードキャストチャネル（例えばＳＩＢ）を用いて、ＳＲＳを送信するためのパラメータを、ユーザ機器に対してセル固有に設定する（ステップ４０１）。ここで、ＳＲＳを送信するためのパラメータは、ピリオディックＳＲＳの送信、および／または、スケジュールドＳＲＳの送信のためのパラメータを含んでいてもよい。図１の説明と同様に、基地局は、ＳＲＳ帯域幅、ＳＲＳサブフレーム、およびＳＲＳ送信のためのアンテナを含むパラメータを、ユーザ機器に対してセル固有に設定してよい。
【００３２】
基地局は、ＲＲＣシグナリングを用いて、スケジュールドＳＲＳを送信するためのパラメータを、ユーザ機器に対してＵＥ固有に設定する（ステップ４０２）。ここで、図２において、ステップ４０２は点線で示されている。これは、ステップ４０１において、基地局が、パラメータをユーザ機器にセル固有に設定している場合、ステップ４０２は省略されてもよいからである。ステップ４０２において、ＵＥ固有に設定されるパラメータには、例えば、送信コーム（transmission comb、ＳＲＳの周波数領域における開始位置を計算するための周波数オフセット）、ＳＲＳサブフレームオフセット、ＳＲＳ帯域幅、循環シフト（cyclic shift、ＳＲＳシーケンス生成のための３ビット）が含まれる。上記の例においては、基地局によって送信されるＲＲＣシグナリングは、パラメータ設定のための補充（complement）として動作することに注意されたい。図２で示す例において、基地局は、ＲＲＣシグナリングを用いて、スケジュールドＳＲＳを送信するための初期のパラメータをユーザ機器に対してＵＥ固有に設定する。例えば、基地局は、初期の設定としてスケジュールドＳＲＳを送信するためのパラメータを含むＲＲＣをユーザ機器に送信する。
【００３３】
さらに、基地局は、イネーブルドＳＲＳリクエストを含むアップリンク送信許可信号を、ユーザ機器に送信する（ステップ４０３）。図２において、アップリンク送信許可信号に含まれるＤＣＩはスケジュールドＳＲＳを送信するための情報であり、基地局は、アップリンク送信許可信号を用いて、スケジュールドＳＲＳを送信するためのパラメータを、ユーザ機器に対してＵＥ固有に設定する。言い換えれば、基地局は、アップリンク送信許可信号を用いて、ステップ４０２でＲＲＣシグナリングによって設定されたユーザ機器固有のパラメータを、ユーザ機器に再設定することができる。同様に、基地局は、アップリンク送信許可信号を用いて、スケジュールドＳＲＳを送信するためのリソースを、ユーザ機器にさらに割り当ててもよい。
【００３４】
代替例においては、基地局は、あらかじめＲＲＣシグナリングによってＳＲＳパラメータを設定することなしに、アップリンク送信許可信号を用いて、ユーザ機器固有のパラメータをユーザ機器に設定するのみでもよいことに注意されたい。
【００３５】
ユーザ機器は、アップリンク送信許可信号を受信した後、基地局から再設定されたＳＲＳパラメータにしたがって、スケジュールドＳＲＳの送信に必要となるパラメータを設定する（ステップ４０４）。
【００３６】
ユーザ機器は、アップリンク送信許可信号を用いて（再）設定されたパラメータにしたがって、スケジュールドＳＲＳを基地局に送信する（ステップ４０５）。図２の例においては、例えば、ユーザ機器は、アップリンク送信許可信号によって割り当てられたリソースを用いて、スケジュールドＳＲＳを基地局に送信する。基地局は、指定したリソースでスケジュールドＳＲＳを受信した後、ユーザ機器のアップリンクチャネルの状態を推定し、無線リソースをスケジューリングする（例えば、ＰＵＳＣＨのリソースを割り当てる、変調（modulation）する、符号化（coding）する）（ステップ４０６）。
【００３７】
図２の代替となる実施例においては、基地局は、ＵＥ固有のパラメータを複数回再設定してよく、ユーザ機器は再設定されたパラメータのうち最新のものを、ＳＲＳを送信するために用いることができる。さらに、基地局は、ピリオディックＳＲＳのパラメータ、および／または、スケジュールドＳＲＳのパラメータを、ユーザ機器に対してセル固有に設定してよい。または、基地局は、ピリオディックＳＲＳのパラメータ、および／または、スケジュールドＳＲＳのパラメータを、ユーザ機器に対してＵＥ固有に設定してよい。
【００３８】
以下の実施形態は、図１または図２におけるシグナリングの手順に基づいて説明する。しかし、以下の例は、上記のＳＲＳのシグナリングの手順の任意の１つ、およびＳＲＳの送信を実施するための変形例にも適用可能であることが理解されるだろう。
【００３９】
〔第１の実施形態〕
図３は、本発明の第１の実施形態に係る、集約された複数のコンポーネントキャリア（aggregated multiple component carriers）を用いる移動体通信システムにおけるＳＲＳの通信方法を説明する概略図（schematic diagram）である。
【００４０】
図３に示されるように、サブフレームｎにおいて、基地局は、２つのダウンリンクコンポーネントキャリア（ＤＬＣＣ１、ＤＬ ＣＣ２）と、２つのアップリンクコンポーネントキャリア（ＵＬＣＣ１、ＵＬ ＣＣ２）とを、通信のためにユーザ機器に設定する。本実施形態では、基地局は、ＲＲＣシグナリングを用いて、ＤＬにおいてダウンリンクコンポーネントキャリアの数をユーザ機器に設定する。同様に、基地局は、ＲＲＣシグナリングを用いて、ＵＬにおいてアップリンクコンポーネントキャリアをユーザ機器に設定する。したがって、図３に示されるように、基地局とユーザ機器とは、これら２つの集約されたＤＬＣＣｓ／ＵＬ ＣＣｓによって構成される周波数帯域幅において通信する。そして、基地局は、スケジュールドＳＲＳのためのパラメータをユーザ機器に設定する（例えば、図１のステップ３０１およびステップ３０２を参照）。
【００４１】
ユーザ機器は、ＳＲＳのパラメータを受信した後、パラメータを設定する（例えば、図１におけるステップ３０３を参照）。
【００４２】
基地局は、スケジュールされたＰＤＳＣＨまたはスケジュールされたＰＵＳＣＨを示すＣＩを含むＤＣＩをＰＤＣＣＨでユーザ機器に送信する。より詳しくは、基地局は、ダウンリンクにおいて、ＰＤＣＣＨで送信されるＤＣＩに含まれるＣＩにしたがって、各コンポーネントキャリアにおけるＰＤＳＣＨリソースをユーザ機器に割り当てる。また、基地局は、アップリンクにおいて、ＰＤＣＣＨで送信されるＤＣＩに含まれるＣＩにしたがって、各コンポーネントキャリアにおけるＰＵＳＣＨリソースを、アップリンク送信許可信号としてユーザ機器に割り当てる。
【００４３】
図３の例に示されるように、基地局は、サブフレームｎにおいて、ＵＬＣＣ１（斜線のブロックで示されている）のＰＵＳＣＨリソースを示す第１のアップリンク送信許可信号として、ユーザ機器にＰＤＣＣＨでＤＣＩを送信する。また、同一のサブフレームｎにおいて、基地局は、ＵＬＣＣ２（水平線のブロックで示されている）のＰＵＳＣＨリソースを示す第２のアップリンク送信許可信号として、ユーザ機器にＰＤＣＣＨでＤＣＩを送信する（例えば、図１におけるステップ３０４を参照）。
【００４４】
ユーザ機器は、第１および第２のアップリンク送信許可信号を受信した後（例えば、図１におけるステップ３０５を参照）、各アップリンク送信許可信号によって割り当てられた各コンポーネントキャリアにおけるＰＵＳＣＨリソースを用いて、アップリンクデータ（ＵＬ−ＳＣＨ（ＵＬ共有チャネル；UL-Shared Channel）に対するトランスポートブロック）を基地局に送信する。
【００４５】
本実施形態において、ユーザ機器は、サブフレーム＃ｎ＋ｔにおいて、第１のアップリンク送信許可信号によって割り当てられたＵＬＣＣ１におけるＰＵＳＣＨリソース（斜線のブロックで示されている）を用いて、アップリンクデータを基地局に送信する。また、同一のサブフレーム＃ｎ＋ｔにおいて、ユーザ機器は、第２のアップリンク送信許可信号によって割り当てられたＵＬＣＣ２におけるＰＵＳＣＨリソース（水平線のブロックで示されている）を用いて、アップリンクデータを基地局に送信する。
【００４６】
本実施形態において、基地局は、スケジュールドＳＲＳの送信を可能にするイネーブルドＳＲＳリクエスト（すなわち、ＳＲＳリクエスト＝１）を含む、第１のアップリンク送信許可信号を、ユーザ機器に送信する。すなわち、ユーザ機器は、第１のアップリンク送信許可信号に含まれるＣＩにしたがって、ＵＬＣＣ１においてスケジュールドＳＲＳを基地局に送信する。言い換えれば、ユーザ機器は、第１のアップリンク送信許可信号によってＰＵＳＣＨが割り当てられたＵＬＣＣ１と同一のＵＬ ＣＣ（ＵＬ ＣＣ１）において、スケジュールドＳＲＳを基地局に送信する。同様に、基地局は、イネーブルドＳＲＳリクエストを伴う第２のアップリンク送信許可信号を用いて、ＵＬＣＣ２におけるＰＵＳＣＨリソースをユーザ機器に割り当て、ユーザ機器は、第２のアップリンク送信許可信号に含まれるＣＩにしたがって、ＵＬＣＣ２においてスケジュールドＳＲＳを基地局に送信する（例えば、図１におけるステップ３０６を参照）。最後に、基地局は、アップリンクデータおよびスケジュールドＳＲＳを受信する（例えば、図１におけるステップ３０７を参照）。本実施形態においては、基地局は、クロスキャリアスケジューリング（cross-carrier scheduling,コンポーネントキャリアを超えたスケジューリング）を実行する。
【００４７】
本実施形態の一例においては、基地局は、ＲＲＣシグナリングを用いて、スケジュールドＳＲＳを送信するためのリソースをユーザ機器に割り当てる。そのような場合において、ユーザ機器は、アップリンク送信許可信号によって割り当てられたＰＵＳＣＨリソースを用いて、アップリンクデータを基地局に送信するとともに、ＲＲＣシグナリングによって割り当てられたリソースを用いて、スケジュールドＳＲＳを基地局に送信する。
【００４８】
上記の例において、ユーザ機器は、同一のサブフレームにおいて、ＳＲＳの情報を基地局に送信する。代替例においては、ＳＲＳを送信するためにスケジュールされたリソース（scheduled resource）が、アップリンクデータを送信するためにスケジュールされたリソースの後に割り当てられた場合、ユーザ機器は、アップリンクデータを送信した後に、スケジュールドＳＲＳを送信することに注意されたい。言い換えれば、リソース割り当てにしたがって、ユーザ機器は、第１のサブフレームにおいてアップリンクデータを送信し、第２のサブフレームにおいてスケジュールドＳＲＳを送信する。そして、第２のサブフレームは、第１のサブフレームの後のサブフレームである。
【００４９】
図３に示される実施形態においては、基地局は、ＣＩが含まれるアップリンク送信許可信号を用いて、ＰＵＳＣＨリソースをユーザ機器に割り当てる。ユーザ機器は、イネーブルドＳＲＳリクエスト（ＳＲＳリクエスト＝１）がアップリンク送信許可信号に含まれる場合、アップリンク送信許可信号によってＰＵＳＣＨが割り当てられたＵＬＣＣと同一のＵＬ ＣＣにおいて、スケジュールドＳＲＳを基地局に送信する。言い換えれば、基地局は、アップリンク送信許可信号によって、ＰＵＳＣＨが割り当てられるアップリンクコンポーネントキャリアを示すＣＩを含むアップリンク送信許可信号をユーザ機器に送信する。そして、ユーザ機器は、基地局からのアップリンク送信許可信号によるＰＵＳＣＨの割り当てにしたがって、スケジュールドＳＲＳを基地局に送信する。したがって、スケジュールドＳＲＳを送信するためのＵＬＣＣを示す付加的な情報を追加する必要がなくなる。これにより、基地局は、より効率的なスケジューリングを実現することができる。例えば、基地局は、アップリンク送信許可信号に、スケジュールドＳＲＳの送信に対するアップリンクコンポーネントキャリアを示す、いかなる付加的な情報を導入することなく、スケジュールドＳＲＳを送信するように、ユーザ機器に指示することができる。ユーザ機器は、指示に基づいて、集約されたアップリンクコンポーネントキャリアによって構成される、より広域の帯域幅において、スケジュールドＳＲＳを基地局に送信することができる。
【００５０】
代替例においては、コンポーネントキャリアにおけるスケジューリングにしたがって、より多くのアップリンク送信許可信号が使用されることに注意されたい。
【００５１】
すでに述べたように、本発明の第１の実施形態によれば、基地局は、ＳＲＳリクエストを含むアップリンク送信許可信号をユーザ機器に送信する。ユーザ機器は、イネーブルドＳＲＳリクエストがアップリンク送信許可信号に含まれる場合、スケジュールドＳＲＳを基地局に送信する。ユーザ機器は、スケジュールドＳＲＳを送信する際に、基地局からのＰＵＳＣＨの割り当てにしたがって、スケジュールドＳＲＳを基地局に送信する。これによって、基地局は、スケジュールドＳＲＳの送信をユーザ機器に柔軟に指示することができる。基地局は、アップリンク送信許可信号を用いて、ユーザ機器に対してスケジュールドＳＲＳの送信を指示するために、スケジュールドＳＲＳの送信を、動的かつ即時に指示することができる。一方で、ユーザ機器は、ＰＵＳＣＨの割り当てにしたがってスケジュールドＳＲＳを基地局に送信するために、より広域の送信帯域幅で効率的にスケジュールドＳＲＳを基地局に送信することができる。さらに、基地局は、アップリンク送信許可信号によって、ＰＵＳＣＨが割り当てられるＵＬＣＣと同一のＵＬ ＣＣにおいて、ユーザ機器にスケジュールドＳＲＳの送信を指示するために、より広域の送信帯域幅を考慮したより効率的な指示を実現することができる。
【００５２】
〔第２の実施形態〕
図４は、本発明の第２の実施形態に係る、スケジュールドＳＲＳを送信するための方法を示す概略図（schematic diagram）である。
【００５３】
本実施形態は、上述の図１および図２に示すＳＲＳのシグナリングの手順の任意の１つ、およびＳＲＳの送信を実施するための変形例に適用可能である。
【００５４】
本発明の本実施形態において、基地局は、イネーブルドＳＲＳリクエストを含むアップリンク送信許可信号をユーザ機器に送信する。ユーザ機器は、イネーブルドＳＲＳリクエストがアップリンク送信許可信号に含まれている場合、アップリンク送信許可信号よって割り当てられたＰＵＳＣＨを用いてアップリンクデータを、同一サブフレームにおいて、スケジュールドＳＲＳを基地局に送信する。
【００５５】
本実施形態において、基地局は、ブロードキャストチャネル（例えばＳＩＢ）を用いて、ＳＲＳサブフレームをユーザ機器にセル固有に設定する。図４に示されるように、基地局は、サブフレーム＃ｎ−２，＃ｎ，＃ｎ＋２，＃ｎ＋４，＃ｎ＋６，＃ｎ＋８，＃ｎ＋１０，＃ｎ＋１２，および＃ｎ＋１４（例えば、サブフレームの位置）を、ＳＲＳサブフレームとしてユーザ機器に設定する。これらの割り当てられたサブフレームは、ピリオディックＳＲＳ、および／または、スケジュールドＳＲＳを送信するために使用される。ここで、代わりに、基地局は、ＲＲＣシグナリングを用いてピリオディックＳＲＳを送信するためのリソースを、ユーザ機器に対してＵＥ固有に割り当ててもよい。
【００５６】
図４において、ユーザ機器は、サブフレーム＃ｎ−２，＃ｎ，＃ｎ＋２，＃ｎ＋４，＃ｎ＋６，＃ｎ＋８，＃ｎ＋１０，＃ｎ＋１２，および＃ｎ＋１４において、ピリオディックＳＲＳ（縦線で示される）を基地局に送信する。すなわち、ユーザ機器は、基地局によってセル固有に設定されたＳＲＳサブフレームの中のサブフレームにおいて、ピリオディックＳＲＳを基地局に送信する。
【００５７】
図１に示されるシグナリングの手順によれば、基地局は、サブフレーム＃ｎにおいて、イネーブルドＳＲＳリクエストを含むアップリンク送信許可信号をユーザ機器に送信する。ユーザ機器は、アップリンク送信許可信号を受信した後、アップリンクデータ（格子ブロックで示されている）およびスケジュールドＳＲＳ（水平線のブロックで示されている）を、同一サブフレームで基地局に送信する。
【００５８】
図４では、ユーザ機器が、サブフレーム＃ｎ＋４において、アップリンクデータおよびスケジュールドＳＲＳを基地局に送信することが示されている。ここで、実際のシステムにおける要求仕様によれば、ユーザ機器は、ＤＣＩ（アップリンク送信許可信号）を復号（および検出）するために、いくらかの時間を必要とする。結果として、アップリンクデータの送信に対して遅延が生じる（例えば、４サブフレーム）。これは、制御信号を受信した後、ユーザ機器のアクションに必要な最小限の時間である。本実施形態において、アップリンクデータおよびスケジュールドＳＲＳは、専用のサブフレーム＃ｎ＋Ｋで送信されてもよい。ここで、例えば、ＦＤＤ（周波数分割二重；Frequency Division Duplexing）システムにおいては、Ｋは４に設定される。
【００５９】
すなわち、図４において、ユーザ機器は、ダウンリンク制御情報フォーマットをサブフレームｎで検出した後、ＰＵＳＣＨリソースを用いて、アップリンクデータをサブフレーム＃ｎ＋４で基地局に送信する。ユーザ機器は、同じタイミングで、スケジュールドＳＲＳを基地局に送信する。ここで、アップリンクデータを送信するためのＰＵＳＣＨリソースは、アップリンク送信許可信号を使用して、基地局によって割り当てられる。また、スケジュールドＳＲＳを送信するためのリソースは、ＲＲＣシグナリングを用いて、基地局によって割り当てられる。ここで、基地局は、ブロードキャストチャネル（例えばＳＩＢ）を用いてセル固有に設定されたＳＲＳリソースから、ユーザ機器にリソースを割り当てる。
【００６０】
図４の実施形態において、基地局は、ピリオディックＳＲＳを送信するためのＳＲＳサブフレームを、ユーザ機器に対してセル固有に設定してもよい。基地局は、ピリオディックＳＲＳ、および／または、スケジュールドＳＲＳを送信するためのＳＲＳリソースを、ユーザ機器に対してセル固有に割り当ててよい。基地局は、ＳＲＳリソースから、ピリオディックＳＲＳのためのリソースを、ユーザ機器に対してＵＥ固有に割り当ててもよい。基地局は、ＳＲＳリソースから、スケジュールドＳＲＳのためのリソースを、ユーザ機器に対してユーザ機器固有に割り当ててもよい。ユーザ機器は、ピリオディックＳＲＳを送信するためのリソースにしたがって、ピリオディックＳＲＳを基地局に送信してもよい。ユーザ機器は、スケジュールドＳＲＳの送信のためのリソース、および、イネーブルドＳＲＳリクエストを含むアップリンク送信許可信号にしたがって、スケジュールドＳＲＳを基地局に送信してよい。ピリオディックＳＲＳおよびスケジュールドＳＲＳを送信するためのパラメータは、ブロードキャストチャネル（例えばＳＩＢ）、および／または、ＲＲＣシグナリングを用いて、セル固有に、および／または、ＵＥ固有に設定されてもよい。
【００６１】
〔第３の実施形態〕
図５は、本発明の第３の実施形態に係る、スケジュールドＳＲＳを送信するための方法を示す概略図（schematic diagram）である。
【００６２】
本発明の本実施の形態においては、基地局は、イネーブルドＳＲＳリクエストを含むアップリンク送信許可信号をユーザ機器に送信する。ユーザ機器は、イネーブルドＳＲＳリクエストがアップリンク送信許可信号に含まれている場合、第１のサブフレーム（サブフレーム＃ｎ＋４）において、アップリンク送信許可信号によって割り当てられたＰＵＳＣＨを用いてアップリンクデータを基地局に送信し、第２の（後の）サブフレーム（サブフレーム＃ｎ＋５）において、スケジュールドＳＲＳを基地局に送信する。ここで、スケジュールドＳＲＳを送信するためのリソースは、例えば、ＲＲＣシグナリングを通して、基地局によって割り当てられる。本実施形態において、基地局は、ＳＲＳサブフレームとして、サブフレームの位置をユーザ機器にセル固有に設定する。
【００６３】
図４における第２の実施形態と同様に、基地局は、ブロードキャストチャネル（例えばＳＩＢ）を用いて、ＳＲＳサブフレームをユーザ機器にセル固有に設定してよい。図５において、基地局は、サブフレーム＃ｎ−１，＃ｎ＋１，＃ｎ＋３，＃ｎ＋５，＃ｎ＋７，＃ｎ＋９，＃ｎ＋１１，および＃ｎ＋１３を、ＳＲＳサブフレームとしてユーザ機器に設定している。さらに、基地局は、ＲＲＣシグナリングを用いて、ピリオディックＳＲＳを送信するためのリソースを、ユーザ機器に対してＵＥ固有に割り当てる。図５において、ユーザ機器は、サブフレーム＃ｎ−１，＃ｎ＋３，＃ｎ＋７，および＃ｎ＋１１において、ピリオディックＳＲＳ（縦線のブロックで示される）を基地局に送信する。
【００６４】
図５に示されるように、基地局は、サブフレーム＃ｎで、イネーブルドＳＲＳリクエストを含むアップリンク送信許可信号をユーザ機器に送信する。ユーザ機器は、アップリンク送信許可信号を受信した後、アップリンク送信許可信号によって割り当てられたＰＵＳＣＨリソースを用いて、サブフレーム＃ｎ＋４で、アップリンクデータ（格子ブロックで示されている）を基地局に送信する。これは、ユーザ機器が、レスポンスのためにいくらかの時間を必要とするからである。本実施形態において、ユーザ機器は、サブフレーム＃ｎ＋Ｋで、アップリンクデータを基地局に送信してよい。ここで、Ｋは整数であり、ＦＤＤシステムにおいては、Ｋは４に設定される。
【００６５】
ユーザ機器は、後のサブフレーム＃ｎ＋５において、基地局によってＲＲＣシグナリングを使用して割り当てられたリソースを用いて、スケジュールドＳＲＳ（水平線のブロックで示されている）を基地局に送信する。本実施形態において、サブフレーム＃ｎ＋５は、ブロードキャストチャネル（例えばＳＩＢ）を用いて、基地局によってセル固有に設定されたＳＲＳサブフレームの１つである。
【００６６】
本実施形態において、ユーザ機器は、ＰＵＳＣＨでの送信（アップリンクデータの送信）のためのサブフレームの後の、セル固有に設定された最初のＳＲＳサブフレームであるサブフレームにおいて、スケジュールドＳＲＳを基地局に送信する。結果として、ユーザ機器は、サブフレーム＃ｎ＋Ｋ’（または、ｎ’）において、スケジュールドＳＲＳを基地局に送信する。ここで、Ｋ’≧Ｋ（Ｋ’およびＫは整数）であり、ＦＤＤシステムにおいては、Ｋは４に設定される。言い換えれば、本実施形態において、ユーザ機器は、次に利用可能なセル固有に設定されたＳＲＳの送信のためのＳＲＳサブフレームへ、スケジュールドＳＲＳの送信を延期する。次に利用可能なセル固有に設定されたＳＲＳサブフレームは、ＰＵＳＣＨでの送信の後の、サウンディング参照信号を送信するための隣接するサブフレームである。
【００６７】
なお、本実施形態において、ＰＵＳＣＨでの送信が行われるサブフレームの後の、サウンディング参照信号を送信するための隣接するサブフレーム（＃ｎ＋５）は、ＰＵＳＣＨでの送信が行われるサブフレーム（＃ｎ＋４）の直後のサブフレームであることが記載されている。しかしながら、異なる通信環境において、後のサブフレーム（＃ｎ＋６）が、ＰＵＳＣＨでの送信が行われるサブフレーム（＃ｎ＋４）の後の、ＳＲＳを送信するための隣接するサブフレームである場合には、ユーザ機器は、後のサブフレーム（＃ｎ＋６）で、スケジュールドＳＲＳを基地局に送信する。
【００６８】
第２の実施形態と同様に、図５において、ピリオディックＳＲＳおよびスケジュールドＳＲＳを送信するためのパラメータは、ブロードキャストチャネル（例えばＳＩＢ）、および／または、ＲＲＣシグナリングを用いて、基地局によって、セル固有に、および／または、ユーザ機器固有に設定されてもよい。変更された実施形態のように、ユーザ機器は、次に利用可能なユーザ機器固有に設定されたＳＲＳを送信するためのＳＲＳサブフレームに、スケジュールドＳＲＳの送信を延期してもよい。
【００６９】
〔第４の実施形態〕
図６は、本発明の第４の実施形態に係る、スケジュールドＳＲＳを送信するための方法を示す概略図（schematic diagram）である。
【００７０】
基地局は、イネーブルドＳＲＳリクエストを含むアップリンク送信許可信号を、ユーザ機器に送信する。ユーザ機器は、イネーブルドＳＲＳリクエストがアップリンク送信許可信号に含まれる場合、第１のサブフレーム（サブフレーム＃ｎ＋４）において、アップリンク送信許可信号によって割り当てられたＰＵＳＣＨでアップリンクデータを基地局に送信し、第２の（後の）サブフレーム（サブフレーム＃ｎ＋９）において、スケジュールドＳＲＳを基地局に送信する。ここで、スケジュールドＳＲＳを送信するためのリソースは、ＲＲＣシグナリングを用いて、基地局によって割り当てられる。詳細には、基地局は、スケジュールドＳＲＳのサブフレームとして、第２のサブフレームにおける位置を、ユーザ機器に対してＵＥ固有に設定する。スケジュールドＳＲＳのサブフレームは、ブロードキャストチャネル（例えばＳＩＢ）を通して、基地局によってセル固有に設定されたＳＲＳサブフレームから選択される。
【００７１】
本実施形態において、基地局は、ブロードキャストチャネル（例えばＳＩＢ）を用いて、ＳＲＳサブフレームをユーザ機器にセル固有に設定する。図６に示されるように、基地局は、サブフレーム＃ｎ−１，＃ｎ＋１，＃ｎ＋３，＃ｎ＋５，＃ｎ＋７，＃ｎ＋９，＃ｎ＋１１，および＃ｎ＋１３を、ＳＲＳサブフレーム（ピリオディックＳＲＳのサブフレームおよびスケジュールドＳＲＳのサブフレームが含まれる）として、ユーザ機器に設定する。さらに、基地局は、ＲＲＣシグナリングを用いて、ピリオディックＳＲＳの送信のためのリソースを、ユーザ機器に対してＵＥ固有に割り当ててよい。図６において、ユーザ機器は、ＳＲＳのパラメータを設定した後、サブフレーム＃ｎ−１，＃ｎ＋３，＃ｎ＋７，および＃ｎ＋１１において、ピリオディックＳＲＳ（縦線のブロックで示されている）を基地局に送信する。
【００７２】
本実施形態において、基地局は、さらに、ＲＲＣシグナリングを用いて、スケジュールドＳＲＳのサブフレームを、ユーザ機器に対してＵＥ固有に設定する。図６において、基地局は、サブフレーム＃ｎ＋１および＃ｎ＋９をスケジュールドＳＲＳのサブフレームとして、ユーザ機器に設定する。本実施形態において、基地局は、ブロードキャストチャネル（例えばＳＩＢ）を用いてセル固有に設定されたＳＲＳサブフレームから、スケジュールドＳＲＳのサブフレームをユーザ機器に設定する。代替例においては、基地局は、ＲＲＣシグナリングを用いて、スケジュールドＳＲＳを送信するために割り当てた上記リソースとは異なる他のリソースを、ユーザ機器に対してＵＥ固有に割り当ててよい。
【００７３】
図６において、基地局は、サブフレーム＃ｎにおいて、イネーブルドＳＲＳリクエストを含むアップリンク送信許可信号をユーザ機器に送信する。ユーザ機器は、アップリンク送信許可信号を受信した後、アップリンク送信許可信号によって割り当てられたＰＵＳＣＨリソースを用いて、サブフレーム＃ｎ＋４において、アップリンクデータ（網掛けのブロックで示されている）を基地局に送信する。そして、ユーザ機器は、ＲＲＣシグナリングによって割り当てられたリソースを用いて、後のサブフレーム＃ｎ＋９において、スケジュールドＳＲＳ（水平線のブロックで示されている）を基地局に送信する。ここで、後のサブフレーム＃ｎ＋９は、ＲＲＣシグナリングを用いて、基地局によってＵＥ固有に設定されたスケジュールドＳＲＳのサブフレームの１つである。すなわち、ユーザ機器は、サブフレーム＃ｎ＋Ｋにおいて、アップリンクデータを基地局に送信する。ここで、Ｋは整数であり、ＦＤＤシステムにおいては、Ｋは４に設定される。また、ユーザ機器は、ＰＵＳＣＨでの送信のためのサブフレームの後の、ＵＥ固有に設定された最初のスケジュールドＳＲＳのサブフレームにおいて、スケジュールドＳＲＳを基地局に送信する。ここで、ＵＥ固有に設定された最初のスケジュールドＳＲＳのサブフレームは、ＰＵＳＣＨでの送信のサブフレームの後の、スケジュールドＳＲＳを送信するための隣接するサブフレームである。
【００７４】
本実施形態において、ユーザ機器は、サブフレーム＃ｎ＋Ｋ’（または、ｎ’）において、スケジュールドＳＲＳを基地局に送信する。ここで、Ｋ’≧Ｋ（Ｋ’およびＫは整数）であり、ＦＤＤシステムにおいては、Ｋは４に設定される。ユーザ機器は、スケジュールドＳＲＳのための、次に利用可能なＵＥ固有に設定されたＳＲＳサブフレームへ、スケジュールドＳＲＳの送信を延期する。ここで、このサブフレームは、アップリンクデータを送信するためのサブフレームの後のサブフレームである。ここで、第２および第３の実施形態と同様に、図６に示される実施形態において、ピリオディックＳＲＳおよびスケジュールドＳＲＳを送信するためのパラメータは、ブロードキャストチャネル（例えばＳＩＢ）、および／または、ＲＲＣシグナリングを用いて、基地局によって、セル固有に、および／または、ＵＥ固有に設定されてもよい。
【００７５】
〔第５の実施形態〕
図７は、本発明の第５の実施形態に係る、スケジュールドＳＲＳを送信するための方法を示す概略図（schematic diagram）である。
【００７６】
本発明の本実施形態において、基地局は、コンポーネントキャリアごとに、スケジュールドＳＲＳを送信するサブフレームのそれぞれの位置をユーザ機器に設定する。したがって、ユーザ機器は、基地局によって設定されたサブフレームのそれぞれの位置にしたがって、各ＵＬコンポーネントキャリアにおいて、スケジュールドＳＲＳを基地局に送信する。
【００７７】
上記、第２、第３、および第４の実施形態は、単一のＵＬＣＣの状況だけでなく、複数のＵＬ ＣＣの状況にも適用でき、また一方で、第１の実施形態は、図４〜図６に示される状況に簡単に拡張できることに注意されたい。本実施形態は、図３および図５の組み合わせを考慮した一般的な状況について説明する。本実施形態によれば、当業者は、図３の構造を、図４および図６へ簡単に適用することもできる。
【００７８】
本実施形態において、ＳＲＳサブフレームおよびスケジュールドＳＲＳのサブフレームを含む、サブフレームのためのＳＲＳパラメータと、各コンポーネントキャリアに対するＳＲＳパラメータとは、図３および図５において言及したそれらと同様に設定される。
【００７９】
図７に示されるように、基地局は、サブフレーム＃ｎにおいて、ＵＬＣＣ２（ＣＩ＝ＣＣ２）のための、イネーブルドＳＲＳリクエストを含む第１のアップリンク送信許可信号をユーザ機器に送信し、サブフレーム＃ｎ＋１において、ＵＬＣＣ１（ＣＩ＝ＣＣ１）のための、イネーブルドＳＲＳリクエストを含む第２のアップリンク送信許可信号をユーザ機器に送信する。
【００８０】
ユーザ機器は、第１および第２のアップリンク送信許可信号を受信した後、ＵＬＣＣ２におけるＰＵＳＣＨリソースを用いて、サブフレーム＃ｎ＋４において、アップリンクデータを基地局に送信する。そして、ユーザ機器は、ＵＬＣＣ２において割り当てられたＳＲＳリソースを用いて、ＰＵＳＣＨでの送信のためのサブフレーム（＃ｎ＋４）の後の、最初のＳＲＳサブフレームであるサブフレーム＃ｎ＋６において、スケジュールドＳＲＳ（水平線のブロックで示されている）を送信する。また、ユーザ機器は、ＵＬＣＣ１におけるＰＵＳＣＨリソースを用いて、サブフレーム＃ｎ＋５において、アップリンクデータを基地局に送信する。さらに、ユーザ機器は、ＵＬＣＣ１において割り当てられたＳＲＳリソースを用いて、ＰＵＳＣＨでの送信のためのサブフレーム（＃ｎ＋５）の後の、最初のＳＲＳサブフレームであるサブフレーム＃ｎ＋１０において、スケジュールドＳＲＳ（水平線のブロックで示されている）を送信する。
【００８１】
図３の説明によれば、ユーザ機器は、アップリンク送信許可信号によってＰＵＳＣＨが割り当てられたＵＬＣＣと同一のＵＬ ＣＣにおいて、スケジュールドＳＲＳを基地局に送信する。詳細には、ユーザ機器は、それぞれのアップリンク送信許可信号によって割り当てられたＰＵＳＣＨにしたがって、それぞれのＵＬコンポーネントキャリアにおいて、スケジュールドＳＲＳを基地局に送信する。
【００８２】
本実施形態において、基地局は、２つのアップリンク送信許可信号をユーザ機器に送信しているが、変更例において、基地局は、ＳＲＳのパラメータの設定および通信システムの要求仕様にしたがって、より多くのアップリンク送信許可信号を、ユーザ機器に送信してもよいことに注意されたい。
【００８３】
上述したように、本発明の第２〜第５の実施形態の任意の１つにしたがって、基地局は、スケジュールドＳＲＳを送信するためのサブフレーム（例えば、位置）をユーザ機器に設定することができ、ユーザ機器は、設定されたＳＲＳサブフレームにおいて、スケジュールドＳＲＳを基地局に送信することができる。基地局は、スケジュールドＳＲＳを送信するためのサブフレームをユーザ機器に設定できるために、セル内において、ユーザ機器同士の干渉を回避することができる。
【００８４】
本発明によれば、基地局は、ＰＵＳＣＨを送信するためのサブフレームおよびスケジュールドＳＲＳを送信するためのサブフレームを、各ユーザ機器に設定することができる。したがって、ＰＵＳＣＨでの送信とスケジュールドＳＲＳの送信との間の衝突を回避することができ、セル内における干渉を減らすことができる。また、基地局は、セル内において干渉を引き起こすことのないように、より効率的な送信制御（スケジューリング）を行うことができる。
【００８５】
〔移動体通信システム〕
以下の記載では、本発明に係る移動体通信システムについて説明する。移動体通信システムは、基地局とユーザ機器とを含み、基地局およびユーザ機器は、上記した任意の実施形態およびこれらの変形例におけるＳＲＳの送信（特に、スケジュールドＳＲＳの送信）のための方法にしたがって、互いに通信する。
【００８６】
図８は、本発明に係る基地局の構成例を概略的に示す機能ブロック図である。
【００８７】
図８に示されるように、基地局１００は、データ制御ユニット１、変調符号化ユニット２、マッピングユニット３、逆高速フーリエ変換（ＩＦＦＴ）ユニット４、無線伝送ユニット５、無線受信ユニット６、高速フーリエ変換（ＦＦＴ）ユニット７、復調復号化ユニット８、データ抽出ユニット９、伝送情報制御ユニット１０、およびアンテナ１１から構成される。伝送情報制御ユニット１０は、スケジューラユニット２１、変調および符号化制御ユニット２２、および周波数選択的スケジューラユニット２３から構成される。
【００８８】
基地局１００においては、各ユーザ機器に送信される送信データおよび制御データはデータ制御ユニット１から入力され、当該データは、伝送情報制御ユニット１０からの命令にしたがって、ユーザ機器へ順番に送信される。変調符号化ユニット２は、変調方式および伝送情報制御ユニット１０（変調および符号化制御ユニット２２）で定められた符号化率に基づいて、データ制御ユニット１から出力された信号に、変調処理または誤り訂正符号化処理を行い、そのデータをマッピングユニット３へ出力する。マッピングユニット３は、伝送情報制御ユニット１０（周波数選択的スケジューラユニット２３）から出力される周波数選択的スケジューリング情報に基づいて、変調符号化ユニット２から出力されたデータを各サブキャリアにマッピングし、そのデータを逆高速フーリエ変換ユニット４に出力する。
【００８９】
逆高速フーリエ変換ユニット４は、マッピングユニット３から出力されたデータに対して、逆高速フーリエ変換の処理を実行し、当該データを時系列のベースバンドデジタル信号の変換し、当該信号を無線伝送ユニット５に出力する。無線伝送ユニット５は、逆高速フーリエ変換ユニット４からの出力信号に対して、デジタル／アナログ変換を行い、当該信号を送信に適した周波数へアップコンバートし、アンテナ１１を通して各ユーザ機器へ当該信号を送信する。
【００９０】
スケジューラユニット２１は、各ユーザ機器が使用可能なリソース領域、断続的な送信受信サイクル、送信データチャネルのフォーマット、およびバッファ状態などの制御情報に基づいて、ダウンリンクおよびアップリンクをスケジュールする。変調及び符号化制御ユニット２２は、ユーザ機器から送信されるサウンディング参照信号に基づいて、変調方式および各データに適用される符号化率を決定する。周波数選択的スケジューラユニット２３は、ユーザ機器から送信されたサウンディング参照信号に基づいて、各データに適用される周波数選択的なスケジューリングの処理を実行する。データ抽出ユニット９は、復調され、復号されたデータを、ユーザに受信されるデータと制御データとに分離し、当該データを上流処理ユニットへ送信し、データを伝送情報制御ユニット２７へ出力する。
【００９１】
図８に示されるように、基地局のさまざまなコンポーネントは、連結されていてもよいし、分離したユニットとして実装されていてもよい。
【００９２】
図９は、本発明に係るユーザ機器の構成例を概略的に示す機能ブロック図である。
【００９３】
図９に示されるように、ユーザ機器２００は、データ制御ユニット４１、変調符号化ユニット４２、マッピングユニット４３、逆高速フーリエ変換（ＩＦＦＴ）ユニット４４、無線伝送ユニット４５、アンテナ４６、サウンディング参照信号制御ユニット４７、無線受信ユニット４８、高速フーリエ変換（ＦＦＴ）ユニット４９、復調復号化ユニット５０、およびデータ抽出ユニット５１から構成される。サウンディング参照信号制御ユニット４７は、サウンディング参照信号生成ユニット６１、およびサウンディング参照信号パラメータ設定ユニット６２から構成される。
【００９４】
無線受信ユニット４８、ＦＦＴユニット４９、復調復号化ユニット５０、データ抽出ユニット５１、およびサウンディング参照信号制御ユニット４７は、全体として受信ユニット８０を構成する。また、データ制御ユニット４１、変調符号化ユニット４２、マッピングユニット４３、逆高速フーリエ変換（ＩＦＦＴ）ユニット４４、および無線伝送ユニット４５は、全体として伝送ユニット９０を構成する。
【００９５】
図９に示されるユーザ機器２００において、基地局１００に送信される送信データおよび制御データは、データ制御ユニット４１に入力され、当該データは基地局１００に順番に送信される。変調符号化ユニット４２は、データ制御ユニット４１から出力された信号に、変調処理または誤り訂正符号化処理を行い、そのデータをマッピングユニット４３へ出力する。マッピングユニット４３は、変調符号化ユニット４２から出力されたデータを各サブキャリアにマッピングし、そのデータを逆高速フーリエ変換ユニット４４に出力する。
【００９６】
逆高速フーリエ変換ユニット４４は、マッピングユニット４３から出力されたシンボル系列に対して逆高速フーリエ変換の処理を実行し、当該シンボル系列を時系列のベースバンドデジタル信号に変換し、当該信号を無線伝送ユニット４５に出力する。無線伝送ユニット４５は、逆高速フーリエ変換ユニット４４からの出力信号に対してデジタル／アナログ変換を行い、当該信号を送信に適した周波数へアップコンバートし、アンテナ４６を通して基地局１００へ当該信号を送信する。
【００９７】
サウンディング参照信号パラメータ設定ユニット６２は、基地局１００から受信した設定信号（ＳＲＳパラメータ）にしたがって、サウンディング参照信号のパラメータを設定する。サウンディング参照信号生成ユニット６１は、サウンディング参照信号パラメータ設定ユニット６２によって設定されるパラメータに基づいて、基地局１００へ送信されるサウンディング参照信号を生成する。
【００９８】
図８に示される基地局、および図９に示されるユーザ機器によれば、本発明のサウンディング参照信号（特にスケジュールドＳＲＳの送信）のための通信方法は、例えば、以下のように実現できる。
【００９９】
以下の記載は、図１のシグナリングの手順に基づく。しかし、図２のシグナリングの手順または変形例も、本発明の移動体通信システムによって実現可能であることに注意されたい。
【０１００】
基地局のスケジューラ２１は、データ制御ユニット１、変調符号化ユニット２、マッピングユニット３、逆高速フーリエ変換（ＩＦＦＴ）ユニット４、無線伝送ユニット５、およびアンテナ１１を用いて、ＳＲＳを送信するためのパラメータを、ユーザ機器２００に対してセル固有に設定し、さらにスケジュールドＳＲＳを送信するためのパラメータを、ユーザ機器に対してＵＥ固有に設定する（ステップ３０１およびステップ３０２）。ユーザ機器の受信ユニット６０は、基地局からパラメータを受信し、サウンディング参照信号パラメータ設定ユニット６２は、スケジュールドＳＲＳの送信に必要なパラメータを設定する（ステップ３０３）。基地局の伝送情報制御ユニット２７は、ＳＲＳの送信（スケジュールドＳＲＳの送信）を指示するアップリンク送信許可信号を、ユーザ機器に送信する。アンテナ６６を通してアップリンク送信許可信号を受信した後（ステップ３０５）、ユーザ機器のサウンディング参照信号生成ユニット６１はサウンディング参照信号を生成し、セル固有に、かつ／または、ＵＥ固有に設定されたパラメータにしたがって、スケジュールドＳＲＳを基地局に送信する（ステップ３０６）。指定されたリソースで当該スケジュールドＳＲＳを受信した後、基地局のスケジューラ２１は、ユーザ機器のアップリンクチャネルの状態を推定し、無線リソースをスケジュールする。信号処理の上記構造は本発明に係る一例に過ぎず、異なるモジュールまたはそれらの組み合わせも、スケジュールドＳＲＳを送信する通信方法を実現可能であることに注意されたい。
【０１０１】
本発明の移動体通信システムの一例において、スケジュールドサウンディング参照信号の送信に対するユーザ機器は、前記スケジュールドサウンディング参照信号の送信を指示する情報を含むアップリンク送信許可信号を受信する手段と、前記指示情報を受信した後、前記スケジュールドサウンディング参照信号を生成する手段と、アップリンクデータと前記スケジュールドサウンディング参照信号とを同一のサブフレームで送信するか、または、第１のサブフレームで前記アップリンクデータを、後のサブフレームで前記スケジュールドサウンディング参照信号を送信する手段を備えたことを特徴とする。また、スケジュールドサウンディング参照信号の送信に対する基地局は、スケジュールドサウンディング参照信号の送信を指示する情報を含むアップリンク送信許可信号を送信する手段と、アップリンクデータと前記スケジュールドサウンディング参照信号とをユーザ機器から受信する手段とを備え、前記ユーザ機器は、アップリンクデータと前記スケジュールドサウンディング参照信号とを同一のサブフレームで送信するか、または、第１のサブフレームで前記アップリンクデータを、後のサブフレームで前記スケジュールドサウンディング参照信号を送信することを特徴とする。
【０１０２】
図８の基地局および図９のユーザ機器の他の代わりの一例において、装置（ＢＳまたはＵＥ）は、プロセッサとメモリとを含むように実装されてよい。
【０１０３】
メモリは、命令とデータとをプロセッサに供給する。ここで、当該メモリには、ＲＯＭ（Read Only Memory）とＲＡＭ（Random Access Memory）との両方が含まれる。メモリの一部は、不揮発性のＲＡＭ（non-volatile random access memory；ＮＶＲＡＭ）であってもよい。メモリには、電子情報を記憶可能な任意の電子部品が含まれ、ＲＯＭ、ＲＡＭ、磁気ディスク記憶装置メディア、光学式記憶メディア、フラッシュメモリ、プロセッサを含むオンボードメモリ、ＥＰＲＯＭメモリ、ＥＥＰＲＯＭメモリ、レジスタ、ハードディスク、リムーバブルディスク、ＣＤ−ＲＯＭなどで実現される。プログラム命令やその他の種類のデータは、当該メモリに記憶される。当該プログラム命令は、ＳＲＳの送信を実現するために、ここで開示された一部または全部の方法を実施するために、プロセッサで実行される。
【０１０４】
情報および信号は、異なる技術（technologies）および技法（techniques）の任意の変形を用いて表現されてもよい。例えば、上記記載を通して参照されるデータ、命令、コマンド、情報、信号、およびこれらに類似するものは、電圧、電流、電磁波、磁界、磁性粒子、光場、光場粒子、またはこれらの任意の組み合わせでも表現できる。
【０１０５】
ここで開示される実施形態に関連して述べられる、さまざまな実例としての論理ブロック／論理素子、モジュール、および回路は、多目的プロセッサ、デジタルシグナルプロセッサ（digital signal processor；ＤＳＰ）、特定用途向け集積回路（application specific integrated circuit；ＡＳＩＣ）、フィールドプログラマブルゲートアレイ（field programmable gate array；ＦＰＧＡ）信号あるいはその他のプログラム可能な論理素子、離散ゲートあるいはトランジスタ論理回路、離散ハードウェアコンポーネント、またはここで述べられた機能を有するように設計されたこれらの任意の組み合わせにより、実施され、または実行されてよい。多目的プロセッサはマイクロプロセッサでよいが、これの代わりとして、いかなる従来のプロセッサ、コントローラ、マイクロコントローラ、または状態機械（state machine）であってもよい。プロセッサは、例えば、ＤＳＰやマイクロプロセッサの組み合わせ、複数のマイクロプロセッサ、ＤＳＰコアと連動する１つまたは複数のマイクロプロセッサ、またはその他の任意の設定など、計算装置の組み合わせで実装されてもよい。代替の実施形態においては、実行されたときに基地局、および／または、ユーザ機器における方法を実現するプログラムを記憶するために、論理回路は適用されてよい。また、論理回路は、基地局およびユーザ機器に、それぞれ搭載されてよい。
【０１０６】
ここで開示された実施形態に関連して述べられた方法またはアルゴリズムの各ステップは、ハードウェア、プロセッサによって実行されるソフトウェアモジュール、またはこれらの組み合わせによって直接実現されてもよい。ソフトウェアモジュールは、従来知られているいかなる形態の記憶装置に置かれてもよい。使用可能な記憶装置のいくつかの例には、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭなどが含まれる。ソフトウェアモジュールは１つまたは多数の命令を含み、複数の異なるコードセグメント、異なるプログラム、複数の記憶装置として配布され得る。記憶装置の例としては、プロセッサが記憶装置へ情報の読み書きが可能であるように、当該プロセッサと連動する記憶装置であってよい。他の実施形態として、記憶媒体はプロセッサに集積されてもよい。
【０１０７】
本発明の通信方法によれば、ユーザ機器は、アップリンク送信許可信号によって割り当てられた物理アップリンク共有チャネルを通してアップリンクデータを送信し、アップリンク送信許可信号によって物理アップリンク共有チャネルが割り当てられたアップリンクコンポーネントキャリアと、同一のアップリンクコンポーネントキャリアにおいて、スケジュールドサウンディング参照信号を送信する。
【０１０８】
したがって、スケジュールドＳＲＳを送信するためのＵＬＣＣを示す付加的情報を追加する必要がなく、基地局は、より効率的なスケジューリングを行うことができる。
【０１０９】
本発明の通信方法によれば、ユーザ機器は、アップリンク送信許可信号によって割り当てられた物理アップリンク共有チャネルを通してアップリンクデータを、同一のサブフレームにおいて、スケジュールドサウンディング参照信号を送信する。
【０１１０】
したがって、ユーザ機器は、設定されたＳＲＳサブフレームにおいて、基地局へスケジュールドＳＲＳを送信することができ、基地局は、動的かつ即時に、スケジュールドＳＲＳの送信を指示することができる。
【０１１１】
本発明の通信方法によれば、基地局は、サウンディング参照信号を送信するためのサブフレームの位置をユーザ機器に設定する。
【０１１２】
したがって、基地局はスケジュールドＳＲＳの送信を柔軟に指示することができる。
【０１１３】
本発明の通信方法によれば、基地局は、スケジュールドサウンディング参照信号を送信するためのサブフレームの位置をユーザ機器に設定し、スケジュールドサウンディング参照信号を送信するサブフレームは、サウンディング参照信号を送信するためのサブフレームから選択される。
【０１１４】
したがって、セル内における複数のＵＥの干渉を回避できる。
【０１１５】
本発明の通信方法によれば、基地局は、スケジュールドサウンディング参照信号を送信するためのサブフレームの位置を、ユーザ機器に対してセル固有に設定するか、または、基地局は、スケジュールドサウンディング参照信号を送信するためのサブフレームの位置を、ユーザ機器に対してユーザ機器固有に設定する。したがって、基地局は、スケジュールドＳＲＳの送信を柔軟に指示できる。
【０１１６】
本発明の通信方法によれば、後のサブフレームは、第１のサブフレームの後の、サウンディング参照信号を送信するための隣接するサブフレームであるか、あるいは、後のサブフレームは、第１のサブフレームの後の、スケジュールドサウンディング参照信号を送信するための隣接するサブフレームである。
【０１１７】
また、基地局の設定にしたがって、基地局が、スケジュールドＳＲＳの送信を動的に指示し、セル内においてユーザ機器の干渉を回避することが可能である。
【０１１８】
本発明の通信方法によれば、基地局は、スケジュールドサウンディング参照信号を送信するためのサブフレームの位置を、ユーザ機器に設定する。
【０１１９】
本発明の通信方法によれば、基地局は、各アップリンクコンポーネントキャリアにおけるスケジュールドサウンディング参照信号を送信するためのそれぞれのサブフレームをユーザ機器に設定し、および／または、基地局は、各アップリンクコンポーネントキャリアにおけるサウンディング参照信号を送信するためのそれぞれのサブフレームを、ユーザ機器に設定する。
【０１２０】
したがって、ＰＵＳＣＨでの送信とスケジュールドＳＲＳの送信との間での衝突を回避できるように、基地局はスケジューリングを行うことができ、セル内の干渉を減少させることができる。
【０１２１】
本発明の通信方法によれば、基地局は、ブロードキャストチャネルまたは無線リソース制御信号を用いて、スケジュールドサウンディング参照信号のためのリソースを、ユーザ機器に割り当てる。
【０１２２】
本発明の移動体通信システムは、以下のようにも表現できる。
【０１２３】
（１）移動局装置が、アップリンク送信許可信号によって割り当てられた物理アップリンク共有チャネルを用いてアップリンクデータを基地局装置に送信する、集約された複数のコンポーネントキャリアで構成される移動体通信システムであって、前記基地局装置は、サウンディング参照信号の送信を指示する第１の情報を含む前記アップリンク送信許可信号を前記移動局装置に送信し、前記第１の情報が前記アップリンク送信許可信号に含まれる場合、前記移動局装置は、前記アップリンク送信許可信号によって、前記物理アップリンク共有チャネルが割り当てられたアップリンクコンポーネントキャリアと同一のアップリンクコンポーネントキャリアにおいて、前記サウンディング参照信号を前記基地局装置に送信することを特徴とする移動体通信システム。
【０１２４】
前記移動体通信システムにおいては、前記基地局装置は、前記アップリンク送信許可信号によって、前記物理アップリンク共有チャネルが割り当てられた前記アップリンクコンポーネントキャリアを示す第２の情報を含む前記アップリンク送信許可信号を前記移動局装置に送信する。
【０１２５】
（２）移動局装置が、アップリンク送信許可信号によって割り当てられた物理アップリンク共有チャネルを用いて、アップリンクデータを基地局装置に送信する移動体通信システムであって、前記基地局装置は、サウンディング参照信号の送信を指示する情報を含む前記アップリンク送信許可信号を前記移動局装置に送信し、前記情報が前記アップリンク送信許可信号に含まれる場合、前記移動局装置は、前記アップリンク送信許可信号によって割り当てられた前記物理アップリンク共有チャネルを用いて前記アップリンクデータを、同一のサブフレームにおいて、前記サウンディング参照信号を基地局装置に送信することを特徴とする移動体通信システム。
【０１２６】
（３）移動局装置が、アップリンク送信許可信号によって割り当てられた物理アップリンク共有チャネルを用いて、アップリンクデータを基地局装置に送信する移動体通信システムであって、前記基地局装置は、サウンディング参照信号の送信を指示する情報を含む前記アップリンク送信許可信号を前記移動局装置に送信し、前記情報が前記アップリンク送信許可信号に含まれる場合、前記移動局装置は、前記アップリンク送信許可信号によって割り当てられた前記物理アップリンク共有チャネルを用いて第１のサブフレームにおいて前記アップリンクデータを前記基地局に送信し、第２のサブフレームにおいて前記サウンディング参照信号を前記基地局装置に送信することを特徴とする移動体通信システム。
【０１２７】
前記移動体通信システムにおいては、前記基地局装置は、前記第２のサブフレームの位置を前記移動局装置に対してセル固有に設定する。
【０１２８】
前記移動体通信システムにおいては、前記基地局装置は、前記第２のサブフレームの位置を前記移動局装置に対してＵＥ固有に設定する。
【０１２９】
前記移動体通信システムにおいては、ユーザ機器固有に設定された前記第２のサブフレームの位置は、セル固有に設定されたサブフレームに含まれる。
【０１３０】
前記移動体通信システムにおいては、前記基地局装置は、前記第２のサブフレームのそれぞれの位置を、コンポーネントキャリアごとに、前記移動局装置に設定する。
【０１３１】
前記移動体通信システムにおいては、前記基地局装置は、無線リソース制御信号を用いて、前記サウンディング参照信号を送信するためのリソースを移動局装置に割り当てる。
【０１３２】
（４）移動局装置が、アップリンク送信許可信号によって割り当てられた物理アップリンク共有チャネルを用いて、アップリンクデータを基地局装置に送信する移動体通信システムであって、前記基地局装置は、前記移動局装置がサウンディング参照信号を送信するためのサブフレームの位置を、移動局装置に対してセル固有に設定し、サウンディング参照信号の送信を指示する情報を含む前記アップリンク送信許可信号を前記移動局装置に送信し、前記移動局装置は、前記情報が前記アップリンク送信許可信号に含まれる場合、前記サブフレームにおいて、前記サウンディング参照信号を前記基地局装置に送信することを特徴とする移動体通信システム。
【０１３３】
（５）移動局装置が、アップリンク送信許可信号によって割り当てられた物理アップリンク共有チャネルを用いて、アップリンクデータを基地局装置に送信する、集約された複数のコンポーネントキャリアで構成される移動体通信システムの移動局装置であって、サウンディング参照信号の送信を指示する第１の情報を含む前記アップリンク送信許可信号を前記基地局装置から受信する手段と、前記第１の情報が前記アップリンク送信許可信号に含まれる場合、前記物理アップリンク共有チャネル割り当てられた前記アップリンクコンポーネントキャリアと同一のアップリンクコンポーネントキャリアにおいて、前記サウンディング参照信号を前記基地局装置に送信する手段とを備えることを特徴とする移動局装置。
【０１３４】
前記移動局装置は、前記アップリンク送信許可信号によって、前記物理アップリンク共有チャネルが割り当てられた前記アップリンクコンポーネントキャリアを示す前記第２の情報を含む、前記アップリンク送信許可信号を前記基地局装置から受信する手段を備えている。
【０１３５】
（６）移動局装置が、アップリンク送信許可信号によって割り当てられた物理アップリンク共有チャネルを用いて、アップリンクデータを基地局装置に送信する移動体通信システムの移動局装置であって、サウンディング参照信号の送信を指示する情報を含む前記アップリンク送信許可信号を前記基地局装置から受信する手段と、前記情報が前記アップリンク送信許可信号に含まれる場合、前記アップリンク送信許可信号よって割り当てられた前記物理アップリンク共有チャネルを用いて前記アップリンクデータを、同一のサブフレームにおいて、前記サウンディング参照信号を前記基地局装置に送信する手段とを備えることを特徴とする移動局装置。
【０１３６】
（７）移動局装置が、アップリンク送信許可信号によって割り当てられた物理アップリンク共有チャネルを用いて、アップリンクデータを基地局装置に送信する移動体通信システムの移動局装置であって、サウンディング参照信号の送信を指示する情報を含む前記アップリンク送信許可信号を前記基地局装置から受信する手段と、前記情報が前記アップリンク送信許可信号に含まれる場合、前記アップリンク送信許可信号によって割り当てられた前記物理アップリンク共有チャネルを用いて第１のサブフレームにおいて前記アップリンクデータを前記基地局装置へ送信する手段と、第２のサブフレームにおいて前記サウンディング参照信号を前記基地局装置へ送信する手段とを備えることを特徴とする移動局装置。
【０１３７】
前記基地局装置は、前記第２のサブフレームの位置を前記移動局装置に対してセル固有に設定する。
【０１３８】
前記基地局装置は、前記第２のサブフレームの位置を前記移動局装置に対してユーザ機器固有に設定する。
【０１３９】
ユーザ機器固有に設定された前記第２のサブフレームの位置は、セル固有に設定されたサブフレームに含まれる。
【０１４０】
前記基地局装置は、前記第２のサブフレームのそれぞれの位置を、コンポーネントキャリアごとに、前記移動局装置に対して設定する。
【０１４１】
前記移動局装置は、前記サウンディング参照信号を送信するためのリソースを割り当てる無線リソース制御信号を、前記基地局装置から受信する手段を備えている。
【０１４２】
（８）移動局装置が、アップリンク送信許可信号によって割り当てられた物理アップリンク共有チャネルを用いて、アップリンクデータを基地局装置に送信する、集約された複数のコンポーネントキャリアで構成された移動体通信システムの移動局装置であって、サウンディング参照信号を送信するためのサブフレームの位置を前記基地局装置からセル固有に設定される手段と、サウンディング参照信号の送信を指示する情報を含む前記アップリンク送信許可信号を前記基地局装置から受信する手段と、前記情報が前記アップリンク送信許可信号に含まれる場合、前記サブフレームにおいて、前記サウンディング参照信号を前記基地局装置に送信する手段とを備えることを特徴とする移動局装置。
【０１４３】
本発明のいくつかの実施形態は、サウンディング参照信号を送信するための通信方法を開示する。当該方法は、基地局からスケジュールドサウンディング参照信号の送信を指示する情報を含むアップリンク送信許可信号を受信した後、ユーザ機器によって、アップリンクデータと前記スケジュールドサウンディング参照信号とを、同一のサブフレームにおいて送信し、または、前記アップリンクデータを第１のサブフレームにおいて、前記スケジュールドサウンディング参照信号を後のサブフレームにおいて送信する。
【０１４４】
本発明のいくつかの実施形態は通信方法を開示する。ここで、当該通信方法は、前記ユーザ機器が、前記アップリンク送信許可信号によって割り当てられた物理アップリンク共有チャネルを通して前記アップリンクデータを送信し、前記アップリンク送信許可信号によって、前記物理アップリンク共有チャネルが割り当てられたアップリンクコンポーネントキャリアと同一のアップリンクコンポーネントキャリアにおいて、前記スケジュールドサウンディング参照信号を送信する。
【０１４５】
本発明のいくつかの実施形態は通信方法を開示する。ここで、当該通信方法は、前記ユーザ機器が、前記アップリンク送信許可信号によって割り当てられた物理アップリンク共有チャネルを通して前記アップリンクデータを、同一のサブフレームにおいて、前記スケジュールドサウンディング参照信号を送信する。
【０１４６】
本発明のいくつかの実施形態は通信方法を開示する。ここで、当該通信方法は、前記基地局が、サウンディング参照信号を送信するためのサブフレームの位置を前記ユーザ機器に設定する。
【０１４７】
本発明のいくつかの実施形態は通信方法を開示する。ここで、当該通信方法は、前記基地局が、前記スケジュールドサウンディング参照信号を送信するためのサブフレームの位置を前記ユーザ機器に設定する。
【０１４８】
本発明のいくつかの実施形態は通信方法を開示する。ここで、当該通信方法は、前記スケジュールドサウンディング参照信号を送信するためのサブフレームは、前記サウンディング参照信号を送信するためのサブフレームから選択される。
【０１４９】
本発明のいくつかの実施形態は通信方法を開示する。ここで、当該通信方法は、前記基地局が、前記スケジュールドサウンディング参照信号を送信するためのサブフレームの位置を、前記ユーザ機器に対してセル固有に設定する。
【０１５０】
本発明のいくつかの実施形態は通信方法を開示する。ここで、当該通信方法は、前記基地局が、前記スケジュールドサウンディング参照信号を送信するためのサブフレームの位置を、前記ユーザ機器に対して当該ユーザ機器固有に設定する。
【０１５１】
本発明のいくつかの実施形態は通信方法を開示する。ここで、当該通信方法は、後のサブフレームは、前記第１のサブフレームの後の、前記サウンディング参照信号を送信するための隣接するサブフレームである。
【０１５２】
本発明のいくつかの実施形態は通信方法を開示する。ここで、当該通信方法は、後のサブフレームは、前記第１のサブフレームの後の、前記スケジュールドサウンディング参照信号を送信するための隣接するサブフレームである。
【０１５３】
本発明のいくつかの実施形態は通信方法を開示する。ここで、当該通信方法は、前記基地局が、前記スケジュールドサウンディング参照信号を送信するためのサブフレームの位置を前記ユーザ機器に設定する。
【０１５４】
本発明のいくつかの実施形態は通信方法を開示する。ここで、当該通信方法は、前記基地局が、各アップリンクコンポーネントキャリアにおいてスケジュールドサウンディング参照信号を送信するためのそれぞれのサブフレームを前記ユーザ機器に設定する。
【０１５５】
本発明のいくつかの実施形態は通信方法を開示する。ここで、当該通信方法は、前記基地局が、各アップリンクコンポーネントキャリアにおいてサウンディング参照信号を送信するためのそれぞれのサブフレームを前記ユーザ機器に設定する。
【０１５６】
本発明のいくつかの実施形態は通信方法を開示する。ここで、当該通信方法は、前記基地局が、ブロードキャストチャネルまたは無線リソース制御信号を用いて、前記スケジュールドサウンディング参照信号のためのリソースをユーザ機器に割り当てる。
【０１５７】
本発明のいくつかの実施形態は、サウンディング参照信号の送信に対するユーザ機器を開示する。当該ユーザ機器は、スケジュールドサウンディング参照信号の送信を指示する情報を含むアップリンク送信許可信号を受信する手段と、スケジュールドサウンディング参照信号の送信を指示する前記情報を受信した後、前記スケジュールドサウンディング参照信号を生成する手段と、同一のサブフレームにおいて、アップリンクデータと前記スケジュールドサウンディング参照信号とを送信するか、または、前記アップリンクデータを第１のサブフレームにおいて送信し、前記スケジュールドサウンディング参照信号を後のサブフレームにおいて送信する手段とを備えている。
【０１５８】
本発明のいくつかの実施形態は、サウンディング参照信号の送信に対する基地局を開示する。当該基地局は、スケジュールドサウンディング参照信号の送信を指示する情報を含むアップリンク送信許可信号を送信する手段と、アップリンクデータと前記スケジュールドサウンディング参照信号とをユーザ機器から受信する手段とを備え、前記ユーザ機器は、同一のサブフレームにおいて、前記アップリンクデータと前記スケジュールドサウンディング参照信号とを送信するか、または、前記アップリンクデータを第１のサブフレームにおいて送信し、前記スケジュールドサウンディング参照信号を後のサブフレームにおいて送信する。
【０１５９】
本発明のいくつかの実施形態は、サウンディング参照信号の送信に対する移動体通信システムを開示する。当該システムは、スケジュールドサウンディング参照信号の送信を指示する情報を含むアップリンク送信許可信号を送信する基地局と、同一のフレームにおいて、アップリンクデータと前記スケジュールドサウンディング参照信号とを送信するか、または、前記アップリンクデータを第１のサブフレームにおいて送信し、前記スケジュールドサウンディング参照信号を後のサブフレームにおいて送信するユーザ機器とを含む。
【０１６０】
本発明のいくつかの実施形態は、サウンディング参照信号の送信に対するユーザ機器に搭載される集積回路を開示する。当該集積回路は、スケジュールドサウンディング参照信号の送信を指示する情報を含むアップリンク送信許可信号を受信する論理素子と、スケジュールドサウンディング参照信号の送信を指示する前記情報を受信した後、前記スケジュールドサウンディング参照信号を生成する論理素子と、同一のサブフレームにおいて、アップリンクデータと前記スケジュールドサウンディング参照信号とを送信するか、または、前記アップリンクデータを第１のサブフレームにおいて送信し、前記スケジュールドサウンディング参照信号を後のサブフレームにおいて送信する論理素子とを備えている。
【０１６１】
本発明のいくつかの実施形態は、サウンディング参照信号の送信に対する基地局に搭載される集積回路を開示する。当該集積回路は、スケジュールドサウンディング参照信号の送信を指示する情報を含むアップリンク送信許可信号を送信する論理素子と、アップリンクデータと前記スケジュールドサウンディング参照信号とをユーザ機器から受信する論理素子とを備え、前記ユーザ機器は、同一のサブフレームにおいて、前記アップリンクデータと前記スケジュールドサウンディング参照信号とを送信するか、または、前記アップリンクデータを第１のサブフレームにおいて送信し、前記スケジュールドサウンディング参照信号を後のサブフレームにおいて送信する。
【０１６２】
ここで開示された各方法は、以上で述べた方法を達成するための１つまたは複数のステップまたはアクションからなる。当該方法のステップかつ／またはアクションは、本願クレームの技術的範囲から外れることなく、他の１つに置換可能である。言い換えれば、ステップまたはアクションの特定の順序は、これまで述べてきた実施形態の適切な動作に必要であるが、特定のステップかつ／またはアクションの当該順序および／または使用は、当該クレームの技術的範囲から外れることなく変形可能である。
【０１６３】
本発明の特定の実施形態および適用先を示し、説明してきたが、本願発明は、ここで述べた厳密な当該構成および要素に限定されないことが理解される。当業者にとって明らかな種々の改変、変更、および変形は、配置、動作、およびここで開示される本発明の方法およびシステムの詳細において、本発明の思想および範囲から外れることなく行われてもよい。
〔まとめ〕
本発明の一態様に係るユーザ機器は、
（１）物理アップリンク共有チャネルが、ダウンリンク制御情報フォーマットを用いて基地局装置によってスケジューリングされるユーザ機器であって、
（２）前記ダウンリンク制御情報フォーマットに含まれるサウンディング参照信号の送信に関するサブフレームの位置を設定するための第１の情報と、前記サウンディング参照信号の送信に関するサイクリックシフトを設定するための第２の情報とを含む無線リソース制御シグナリングを、前記基地局装置から受信し、
（３）サブフレームｎにおいて、前記サウンディング参照信号の送信を要求することを指示する第３の情報を、前記基地局装置から受信した場合、前記第１の情報に基づいて設定され、且つｎ’≧ｎ＋４を満たす最初のサブフレームｎ’において、前記第２の情報に基づいて設定された前記サウンディング参照信号を、前記基地局装置に送信する。
【０１６４】
本発明の一態様に係るユーザ機器では、
（１）前記第２の情報は、前記サウンディング参照信号のシーケンスの生成に使用されてよい。
【０１６５】
本発明の一態様に係る基地局装置は、
（１）物理アップリンク共有チャネルを、ダウンリンク制御情報フォーマットを用いてユーザ機器にスケジューリングする基地局装置であって、
（２）前記ダウンリンク制御情報フォーマットに含まれるサウンディング参照信号の送信に関するサブフレームの位置を設定するための第１の情報と、前記サウンディング参照信号の送信に関するサイクリックシフトを設定するための第２の情報とを含む無線リソース制御シグナリングを、前記ユーザ機器に送信し、
（３）サブフレームｎにおいて、前記サウンディング参照信号の送信を要求することを指示する第３の情報が前記ユーザ機器によって受信された場合、前記第１の情報に基づいて設定され、且つｎ’≧ｎ＋４を満たす最初のサブフレームｎ’において、前記第２の情報に基づいて設定された前記サウンディング参照信号を、前記ユーザ機器から受信する。
【０１６６】
本発明の一態様に係る基地局装置では、
（１）前記第２の情報は、前記サウンディング参照信号のシーケンスの生成に使用されてよい。
【０１６７】
本発明の一態様に係るユーザ機器の通信方法は、
（１）物理アップリンク共有チャネルが、ダウンリンク制御情報フォーマットを用いて基地局装置によってスケジューリングされるユーザ機器の通信方法であって、
（２）前記ダウンリンク制御情報フォーマットに含まれるサウンディング参照信号の送信に関するサブフレームの位置を設定するための第１の情報と、前記サウンディング参照信号の送信に関するサイクリックシフトを設定するための第２の情報とを含む無線リソース制御シグナリングを、前記基地局装置から受信し、
（３）サブフレームｎにおいて、前記サウンディング参照信号の送信を要求することを指示する第３の情報を、前記基地局装置から受信した場合、前記第１の情報に基づいて設定され、且つｎ’≧ｎ＋４を満たす最初のサブフレームｎ’において、前記第２の情報に基づいて設定された前記サウンディング参照信号を、前記基地局装置に送信する。
【０１６８】
本発明の一態様に係るユーザ機器の通信方法では、
（１）前記第２の情報は、前記サウンディング参照信号のシーケンスの生成に使用されてよい。
【０１６９】
本発明の一態様に係る基地局装置の通信方法は、
（１）物理アップリンク共有チャネルを、ダウンリンク制御情報フォーマットを用いてユーザ機器にスケジューリングする基地局装置の通信方法であって、
（２）前記ダウンリンク制御情報フォーマットに含まれるサウンディング参照信号の送信に関するサブフレームの位置を設定するための第１の情報と、前記サウンディング参照信号の送信に関するサイクリックシフトを設定するための第２の情報とを含む無線リソース制御シグナリングを、前記ユーザ機器に送信し、
（３）サブフレームｎにおいて、前記サウンディング参照信号の送信を要求することを指示する第３の情報が前記ユーザ機器によって受信された場合、前記第１の情報に基づいて設定され、且つｎ’≧ｎ＋４を満たす最初のサブフレームｎ’において、前記第２の情報に基づいて設定された前記サウンディング参照信号を、前記ユーザ機器から受信する。
【０１７０】
本発明の一態様に係る基地局装置の通信方法は、
（１）前記第２の情報は、前記サウンディング参照信号のシーケンスの生成に使用されてよい。
【０１７１】
〔付記事項１〕
本発明の第１の態様によれば、基地局装置が、ダウンリンク制御情報フォーマットを用いて、アップリンクコンポーネントキャリアにおける物理アップリンク共有チャネルをスケジューリングする移動体通信システムにおけるユーザ機器の通信方法が開示される。当該通信方法は、サウンディング参照信号の送信を指示する第１の情報と、前記ダウンリンク制御情報フォーマットによって、前記物理アップリンク共有チャネルがスケジューリングされる前記アップリンクコンポーネントキャリアを示す第２の情報とを含む、前記ダウンリンク制御情報フォーマットを前記基地局装置から受信し、前記第１の情報を検出した場合、前記第２の情報によって示される前記アップリンクコンポーネントキャリアにおいて前記サウンディング参照信号を前記基地局装置に送信することを特徴とする。
【０１７２】
また、本発明の第２の態様によれば、基地局装置が、ダウンリンク制御情報フォーマットを用いて、アップリンクコンポーネントキャリアにおける物理アップリンク共有チャネルをスケジューリングする移動体通信システムにおけるユーザ機器の通信方法が開示される。当該通信方法は、サウンディング参照信号の送信を指示する第１の情報と、前記ダウンリンク制御情報フォーマットによって、前記物理アップリンク共有チャネルがスケジューリングされる前記アップリンクコンポーネントキャリアを示す第２の情報とを含む、前記ダウンリンク制御情報フォーマットを前記基地局装置から受信し、前記第２の情報によって示される前記アップリンクコンポーネントキャリアにおいて前記物理アップリンク共有チャネルでアップリンクデータを、前記第１の情報を検出した場合、前記第２の情報によって示される前記アップリンクコンポーネントキャリアにおいて前記サウンディング参照信号を前記基地局装置に送信することを特徴とする。
【０１７３】
また、本発明の第３の態様によれば、基地局装置が、ダウンリンク制御情報フォーマットを用いて、アップリンクコンポーネントキャリアにおける物理アップリンク共有チャネルをスケジューリングする移動体通信システムにおけるユーザ機器の通信方法が開示される。当該通信方法は、サウンディング参照信号の送信に対するサブフレームの位置を、ユーザ機器固有に設定する第１の情報を含む無線リソース制御シグナリングを、前記基地局装置から受信し、サウンディング参照信号の送信を指示する第２の情報を含む前記ダウンリンク制御情報フォーマットを、前記基地局装置から受信し、前記第２の情報を検出した後の前記第１のユーザ機器固有に設定されたサブフレームにおいて、前記サウンディング参照信号を前記基地局装置に送信することを特徴とする。
【０１７４】
また、本発明の第４の態様によれば、基地局装置が、ダウンリンク制御情報フォーマットを用いて、アップリンクコンポーネントキャリアにおける物理アップリンク共有チャネルをスケジューリングする移動体通信システムにおけるユーザ機器の通信方法が開示される。当該通信方法は、サウンディング参照信号の送信に対するサブフレームの位置を、ユーザ機器固有に設定する第１の情報を含む無線リソース制御シグナリングを、前記基地局装置から受信し、サウンディング参照信号の送信を指示する第２の情報を含む前記ダウンリンク制御情報フォーマットを、前記基地局装置から受信し、前記第２の情報を含む前記ダウンリンク制御情報フォーマットによってスケジューリングされた前記物理アップリンク共有チャネルでアップリンクデータを前記基地局装置に送信し、前記第２の情報を検出した後の前記第１のユーザ機器固有に設定されたサブフレームにおいて、前記サウンディング参照信号を前記基地局装置に送信することを特徴とする。
【０１７５】
また、本発明の第５の態様によれば、基地局装置が、ダウンリンク制御情報フォーマットを用いて、アップリンクコンポーネントキャリアにおける物理アップリンク共有チャネルをスケジューリングする移動体通信システムにおけるユーザ機器の通信方法が開示される。当該通信方法は、サウンディング参照信号の送信に対するサブフレームの位置を、ユーザ機器固有に設定する第１の情報を含む無線リソース制御シグナリングを、前記基地局装置から受信し、サウンディング参照信号の送信を指示する第２の情報を含む前記ダウンリンク制御情報フォーマットを、前記基地局装置から受信し、サブフレームｎにおいて前記第２の情報を検出した後の前記第１のユーザ機器固有に設定された、ｎ’≧ｎ＋４を満たすサブフレームｎ’において、前記サウンディング参照信号を前記基地局装置に送信することを特徴とする。
【０１７６】
また、本発明の第６の態様によれば、基地局装置が、ダウンリンク制御情報フォーマットを用いて、アップリンクコンポーネントキャリアにおける物理アップリンク共有チャネルをスケジューリングする移動体通信システムにおけるユーザ機器の通信方法が開示される。当該通信方法は、サウンディング参照信号の送信に対するサブフレームの位置を、ユーザ機器固有に設定する第１の情報を含む無線リソース制御シグナリングを、前記基地局装置から受信し、サウンディング参照信号の送信を指示する第２の情報を含む前記ダウンリンク制御情報フォーマットを、前記基地局装置から受信し、サブフレームｎにおいて前記ダウンリンク制御情報フォーマットを検出した後のサブフレームｎ＋４において、前記第２の情報を含む前記ダウンリンク制御情報フォーマットによってスケジューリングされた前記物理アップリンク共有チャネルでアップリンクデータを前記基地局装置に送信し、サブフレームｎにおいて前記第２の情報を検出した後の前記第１のユーザ機器固有に設定された、ｎ’≧ｎ＋４を満たすサブフレームｎ’において、前記サウンディング参照信号を前記基地局装置に送信することを特徴とする。
【０１７７】
また、本発明の第７の態様によれば、基地局装置が、ダウンリンク制御情報フォーマットを用いて、アップリンクコンポーネントキャリアにおける物理アップリンク共有チャネルをスケジューリングする移動体通信システムにおける前記基地局装置の通信方法が開示される。当該通信方法は、サウンディング参照信号の送信を指示する第１の情報と、前記ダウンリンク制御情報フォーマットによって、前記物理アップリンク共有チャネルがスケジューリングされる前記アップリンクコンポーネントキャリアを示す第２の情報とを含む、前記ダウンリンク制御情報フォーマットをユーザ機器に送信し、前記第１の情報が前記ユーザ機器によって検出された場合、前記第２の情報によって示される前記アップリンクコンポーネントキャリアにおいて前記サウンディング参照信号を前記ユーザ機器から受信することを特徴とする。
【０１７８】
また、本発明の第８の態様によれば、基地局装置が、ダウンリンク制御情報フォーマットを用いて、アップリンクコンポーネントキャリアにおける物理アップリンク共有チャネルをスケジューリングする移動体通信システムにおける前記基地局装置の通信方法が開示される。当該通信方法は、サウンディング参照信号の送信を指示する第１の情報と、前記ダウンリンク制御情報フォーマットによって、前記物理アップリンク共有チャネルがスケジューリングされる前記アップリンクコンポーネントキャリアを示す第２の情報とを含む、前記ダウンリンク制御情報フォーマットをユーザ機器に送信し、前記第２の情報によって示される前記アップリンクコンポーネントキャリアにおいて前記物理アップリンク共有チャネルでアップリンクデータを、前記第１の情報が前記ユーザ機器によって検出された場合、前記第２の情報によって示される前記アップリンクコンポーネントキャリアにおいて前記サウンディング参照信号を前記ユーザ機器から受信することを特徴とする。
【０１７９】
また、本発明の第９の態様によれば、基地局装置が、ダウンリンク制御情報フォーマットを用いて、アップリンクコンポーネントキャリアにおける物理アップリンク共有チャネルをスケジューリングする移動体通信システムにおける前記基地局装置の通信方法が開示される。当該通信方法は、サウンディング参照信号の送信に対するサブフレームの位置を、ユーザ機器固有に設定する第１の情報を含む無線リソース制御シグナリングを、ユーザ機器に送信し、サウンディング参照信号の送信を指示する第２の情報を含む前記ダウンリンク制御情報フォーマットを、前記ユーザ機器に送信し、前記第２の情報が前記ユーザ機器によって検出された後の前記第１のユーザ機器固有に設定されたサブフレームにおいて、前記サウンディング参照信号を前記ユーザ機器から受信することを特徴とする。
【０１８０】
また、本発明の第１０の態様によれば、基地局装置が、ダウンリンク制御情報フォーマットを用いて、アップリンクコンポーネントキャリアにおける物理アップリンク共有チャネルをスケジューリングする移動体通信システムにおける前記基地局装置の通信方法が開示される。当該通信方法は、サウンディング参照信号の送信に対するサブフレームの位置を、ユーザ機器固有に設定する第１の情報を含む無線リソース制御シグナリングを、ユーザ機器に送信し、サウンディング参照信号の送信を指示する第２の情報を含む前記ダウンリンク制御情報フォーマットを、前記ユーザ機器に送信し、前記第２の情報を含む前記ダウンリンク制御情報フォーマットによってスケジューリングされた前記物理アップリンク共有チャネルでアップリンクデータを前記ユーザ機器から受信し、前記第２の情報が前記ユーザ機器によって検出された後の前記第１のユーザ機器固有に設定されたサブフレームにおいて、前記サウンディング参照信号を前記ユーザ機器から受信することを特徴とする。
【０１８１】
また、本発明の第１１の態様によれば、基地局装置が、ダウンリンク制御情報フォーマットを用いて、アップリンクコンポーネントキャリアにおける物理アップリンク共有チャネルをスケジューリングする移動体通信システムにおける前記基地局装置の通信方法が開示される。当該通信方法は、サウンディング参照信号の送信に対するサブフレームの位置を、ユーザ機器固有に設定する第１の情報を含む無線リソース制御シグナリングを、ユーザ機器に送信し、サウンディング参照信号の送信を指示する第２の情報を含む前記ダウンリンク制御情報フォーマットを、前記ユーザ機器に送信し、サブフレームｎにおいて前記第２の情報が前記ユーザ機器によって検出された後の前記第１のユーザ機器固有に設定された、ｎ’≧ｎ＋４を満たすサブフレームｎ’において、前記サウンディング参照信号を前記ユーザ機器から受信することを特徴とする。
【０１８２】
また、本発明の第１２の態様によれば、基地局装置が、ダウンリンク制御情報フォーマットを用いて、アップリンクコンポーネントキャリアにおける物理アップリンク共有チャネルをスケジューリングする移動体通信システムにおける前記基地局装置の通信方法が開示される。当該通信方法は、サウンディング参照信号の送信に対するサブフレームの位置を、ユーザ機器固有に設定する第１の情報を含む無線リソース制御シグナリングを、ユーザ機器に送信し、サウンディング参照信号の送信を指示する第２の情報を含む前記ダウンリンク制御情報フォーマットを、前記ユーザ機器に送信し、サブフレームｎにおいて前記ダウンリンク制御情報フォーマットが前記ユーザ機器によって検出された後のサブフレームｎ＋４において、前記第２の情報を含む前記ダウンリンク制御情報フォーマットによってスケジューリングされる前記物理アップリンク共有チャネルでアップリンクデータを前記ユーザ機器から受信し、サブフレームｎにおいて前記第２の情報が前記ユーザ機器によって検出された後の前記第１のユーザ機器固有に設定された、ｎ’≧ｎ＋４を満たすサブフレームｎ’において、前記サウンディング参照信号を前記ユーザ機器から受信することを特徴とする。
【０１８３】
また、本発明の第１３の態様によれば、基地局装置が、ダウンリンク制御情報フォーマットを用いて、アップリンクコンポーネントキャリアにおける物理アップリンク共有チャネルをスケジューリングする移動体通信システムにおけるユーザ機器に搭載される集積回路が開示される。当該集積回路は、サウンディング参照信号の送信を指示する第１の情報と、前記ダウンリンク制御情報フォーマットによって、前記物理アップリンク共有チャネルがスケジューリングされる前記アップリンクコンポーネントキャリアを示す第２の情報とを含む、前記ダウンリンク制御情報フォーマットを、前記基地局装置から受信する論理素子と、前記第１の情報を検出した場合、前記第２の情報によって示される前記アップリンクコンポーネントキャリアにおいて前記サウンディング参照信号を前記基地局装置に送信する論理素子と、を備えることを特徴とする。
【０１８４】
また、本発明の第１４の態様によれば、基地局装置が、ダウンリンク制御情報フォーマットを用いて、アップリンクコンポーネントキャリアにおける物理アップリンク共有チャネルをスケジューリングする移動体通信システムにおけるユーザ機器に搭載される集積回路が開示される。当該集積回路は、サウンディング参照信号の送信に対するサブフレームの位置を、ユーザ機器固有に設定する第１の情報を含む無線リソース制御シグナリングを、前記基地局装置から受信する論理素子と、サウンディング参照信号の送信を指示する第２の情報を含む前記ダウンリンク制御情報フォーマットを、前記基地局装置から受信する論理素子と、前記第２の情報を検出した後の前記第１のユーザ機器固有に設定されたサブフレームにおいて、前記サウンディング参照信号を前記基地局装置に送信する論理素子と、を備えることを特徴とする。
【０１８５】
また、本発明の第１５の態様によれば、基地局装置が、ダウンリンク制御情報フォーマットを用いて、アップリンクコンポーネントキャリアにおける物理アップリンク共有チャネルをスケジューリングする移動体通信システムにおけるユーザ機器に搭載される集積回路が開示される。当該集積回路は、サウンディング参照信号の送信に対するサブフレームの位置を、ユーザ機器固有に設定する第１の情報を含む無線リソース制御シグナリングを、前記基地局装置から受信する論理素子と、サウンディング参照信号の送信を指示する第２の情報を含む前記ダウンリンク制御情報フォーマットを、前記基地局装置から受信する論理素子と、サブフレームｎにおいて前記第２の情報を検出した後の前記第１のユーザ機器固有に設定された、ｎ’≧ｎ＋４を満たすサブフレームｎ’において、前記サウンディング参照信号を前記基地局装置に送信する論理素子と、を備えることを特徴とする。
【０１８６】
また、本発明の第１６の態様によれば、基地局装置が、ダウンリンク制御情報フォーマットを用いて、アップリンクコンポーネントキャリアにおける物理アップリンク共有チャネルをスケジューリングする移動体通信システムにおける前記基地局装置に搭載される集積回路が開示される。当該集積回路は、サウンディング参照信号の送信を指示する第１の情報と、前記ダウンリンク制御情報フォーマットによって、前記物理アップリンク共有チャネルがスケジューリングされる前記アップリンクコンポーネントキャリアを示す第２の情報とを含む、前記ダウンリンク制御情報フォーマットを、ユーザ機器に送信する論理素子と、前記第１の情報が前記ユーザ機器によって検出された場合、前記第２の情報によって示される前記アップリンクコンポーネントキャリアにおいて前記サウンディング参照信号を前記ユーザ機器から受信する論理素子と、を備えることを特徴とする。
【０１８７】
また、本発明の第１７の態様によれば、基地局装置が、ダウンリンク制御情報フォーマットを用いて、アップリンクコンポーネントキャリアにおける物理アップリンク共有チャネルをスケジューリングする移動体通信システムにおける前記基地局装置に搭載される集積回路が開示される。当該集積回路は、サウンディング参照信号の送信に対するサブフレームの位置を、ユーザ機器固有に設定する第１の情報を含む無線リソース制御シグナリングを、ユーザ機器に送信する論理素子と、サウンディング参照信号の送信を指示する第２の情報を含む前記ダウンリンク制御情報フォーマットを、前記ユーザ機器に送信する論理素子と、前記第２の情報が前記ユーザ機器によって検出された後の前記第１のユーザ機器固有に設定されたサブフレームにおいて、前記サウンディング参照信号を前記ユーザ機器から受信する論理素子と、を備えることを特徴とする。
【０１８８】
また、本発明の第１８の態様によれば、基地局装置が、ダウンリンク制御情報フォーマットを用いて、アップリンクコンポーネントキャリアにおける物理アップリンク共有チャネルをスケジューリングする移動体通信システムにおける前記基地局装置に搭載される集積回路が開示される。当該集積回路は、サウンディング参照信号の送信に対するサブフレームの位置を、ユーザ機器固有に設定する第１の情報を含む無線リソース制御シグナリングを、ユーザ機器に送信する論理素子と、サウンディング参照信号の送信を指示する第２の情報を含む前記ダウンリンク制御情報フォーマットを、前記ユーザ機器に送信する論理素子と、サブフレームｎにおいて前記第２の情報が前記ユーザ機器によって検出された後の前記第１のユーザ機器固有に設定された、ｎ’≧ｎ＋４を満たすサブフレームｎ’において、前記サウンディング参照信号を前記ユーザ機器から受信する論理素子と、を備えることを特徴とする。
【０１８９】
また、本発明の第１９の態様によれば、基地局装置が、ダウンリンク制御情報フォーマットを用いて、アップリンクコンポーネントキャリアにおける物理アップリンク共有チャネルをスケジューリングする移動体通信システムが開示される。当該移動体通信システムにおいて、前記基地局装置は、サウンディング参照信号の送信を指示する第１の情報と、前記ダウンリンク制御情報フォーマットによって、前記物理アップリンク共有チャネルがスケジューリングされる前記アップリンクコンポーネントキャリアを示す第２の情報とを含む、前記ダウンリンク制御情報フォーマットをユーザ機器に送信し、前記ユーザ機器は、前記第１の情報を検出した場合、前記第２の情報によって示される前記アップリンクコンポーネントキャリアにおいて前記サウンディング参照信号を前記基地局装置に送信することを特徴とする。
【０１９０】
また、本発明の第２０の態様によれば、基地局装置が、ダウンリンク制御情報フォーマットを用いて、アップリンクコンポーネントキャリアにおける物理アップリンク共有チャネルをスケジューリングする移動体通信システムが開示される。当該移動体通信システムにおいて、前記基地局装置は、サウンディング参照信号の送信に対するサブフレームの位置を、ユーザ機器固有に設定する第１の情報を含む無線リソース制御シグナリングを、ユーザ機器に送信し、サウンディング参照信号の送信を指示する第２の情報を含む前記ダウンリンク制御情報フォーマットを、前記ユーザ機器に送信し、前記ユーザ機器は、前記第２の情報を検出した後の前記第１のユーザ機器固有に設定されたサブフレームにおいて、前記サウンディング参照信号を前記基地局装置に送信することを特徴とする。
【０１９１】
また、本発明の第２１の態様によれば、基地局装置が、ダウンリンク制御情報フォーマットを用いて、アップリンクコンポーネントキャリアにおける物理アップリンク共有チャネルをスケジューリングする移動体通信システムが開示される。当該移動体通信システムにおいて、前記基地局装置は、サウンディング参照信号に対するサブフレームの位置を、ユーザ機器固有に設定する第１の情報を含む無線リソース制御シグナリングを、ユーザ機器に送信し、サウンディング参照信号の送信を指示する第２の情報を含む前記ダウンリンク制御情報フォーマットを、前記ユーザ機器に送信し、前記ユーザ機器は、サブフレームｎにおいて前記第２の情報を検出した後の前記第１のユーザ機器固有に設定された、ｎ’≧ｎ＋４を満たすサブフレームｎ’において、前記サウンディング参照信号を前記基地局装置に送信することを特徴とする。
【０１９２】
〔付記事項２〕
基地局装置が、ダウンリンク制御情報フォーマットを用いて、アップリンクコンポーネントキャリアにおける物理アップリンク共有チャネルをスケジューリングする移動体通信システムにおけるユーザ機器の通信方法であって、サウンディング参照信号の送信を要求するか否かを指示するために使用される第１の情報と、前記ダウンリンク制御情報フォーマットによって、前記物理アップリンク共有チャネルがスケジューリングされる前記アップリンクコンポーネントキャリアを示すために使用される第２の情報とを含む、前記ダウンリンク制御情報フォーマットを前記基地局装置から受信し、前記第１の情報によって前記サウンディング参照信号の送信を要求することが指示された場合、前記第２の情報によって示される前記アップリンクコンポーネントキャリアにおいて前記サウンディング参照信号を前記基地局装置に送信することを特徴とする通信方法。
【０１９３】
基地局装置が、ダウンリンク制御情報フォーマットを用いて、アップリンクコンポーネントキャリアにおける物理アップリンク共有チャネルをスケジューリングする移動体通信システムにおけるユーザ機器の通信方法であって、サウンディング参照信号の送信を要求するか否かを指示するために使用される第１の情報と、前記ダウンリンク制御情報フォーマットによって、前記物理アップリンク共有チャネルがスケジューリングされる前記アップリンクコンポーネントキャリアを示すために使用される第２の情報とを含む、前記ダウンリンク制御情報フォーマットを前記基地局装置から受信し、前記第２の情報によって示される前記アップリンクコンポーネントキャリアにおいて前記物理アップリンク共有チャネルでアップリンクデータを前記基地局装置に送信し、前記第１の情報によって前記サウンディング参照信号の送信を要求することが指示された場合、前記第２の情報によって示される前記アップリンクコンポーネントキャリアにおいて前記サウンディング参照信号を前記基地局装置に送信することを特徴とする通信方法。
【０１９４】
前記ダウンリンク制御情報フォーマットに含まれる前記第１の情報の検出に基づいて、前記サウンディング参照信号を送信することに加え、前記基地局装置によって無線リソース制御シグナリングを用いて設定されたパラメータに従って、サウンディング参照信号を前記基地局装置に周期的に送信することを特徴とする通信方法。
【０１９５】
前記周期的なサウンディング参照信号の送信と前記ダウンリンク制御情報フォーマットに含まれる前記第１の情報の検出に基づく前記サウンディング参照信号の送信とのそれぞれに対して、前記基地局装置によって独立して設定されるパラメータに従って、前記サウンディング参照信号を前記基地局装置に送信することを特徴とする通信方法。
【０１９６】
基地局装置が、ダウンリンク制御情報フォーマットを用いて、アップリンクコンポーネントキャリアにおける物理アップリンク共有チャネルをスケジューリングする移動体通信システムにおけるユーザ機器の通信方法であって、サウンディング参照信号の送信に対するサブフレームの位置を、ユーザ機器固有に設定するために使用される第１の情報を含む無線リソース制御シグナリングを、前記基地局装置から受信し、前記サウンディング参照信号の送信を要求するか否かを指示するために使用される第２の情報を含む前記ダウンリンク制御情報フォーマットを、前記基地局装置から受信し、前記第２の情報によって前記サウンディング参照信号の送信を要求することが指示された後の、ユーザ機器固有に設定されたサブフレームにおいて、前記サウンディング参照信号を前記基地局装置に送信することを特徴とする通信方法。
【０１９７】
基地局装置が、ダウンリンク制御情報フォーマットを用いて、アップリンクコンポーネントキャリアにおける物理アップリンク共有チャネルをスケジューリングする移動体通信システムにおけるユーザ機器の通信方法であって、サウンディング参照信号の送信に対するサブフレームの位置を、ユーザ機器固有に設定するために使用される第１の情報を含む無線リソース制御シグナリングを、前記基地局装置から受信し、前記サウンディング参照信号の送信を要求するか否かを指示するために使用される第２の情報を含む前記ダウンリンク制御情報フォーマットを、前記基地局装置から受信し、前記第２の情報を含む前記ダウンリンク制御情報フォーマットによってスケジューリングされた前記物理アップリンク共有チャネルでアップリンクデータを前記基地局装置に送信し、前記第２の情報によって前記サウンディング参照信号の送信を要求することが指示された後の、ユーザ機器固有に設定されたサブフレームにおいて、前記サウンディング参照信号を前記基地局装置に送信することを特徴とする通信方法。
【０１９８】
基地局装置が、ダウンリンク制御情報フォーマットを用いて、アップリンクコンポーネントキャリアにおける物理アップリンク共有チャネルをスケジューリングする移動体通信システムにおけるユーザ機器の通信方法であって、サウンディング参照信号の送信に対するサブフレームの位置を、ユーザ機器固有に設定するために使用される第１の情報を含む無線リソース制御シグナリングを、前記基地局装置から受信し、前記サウンディング参照信号の送信を要求するか否かを指示するために使用される第２の情報を含む前記ダウンリンク制御情報フォーマットを、前記基地局装置から受信し、サブフレームｎにおいて前記第２の情報によって前記サウンディング参照信号の送信を要求することが指示された後の、ユーザ機器固有に設定され、且つｎ’≧ｎ＋４を満たす最初のサブフレームｎ’において、前記サウンディング参照信号を前記基地局装置に送信することを特徴とする通信方法。
【０１９９】
基地局装置が、ダウンリンク制御情報フォーマットを用いて、アップリンクコンポーネントキャリアにおける物理アップリンク共有チャネルをスケジューリングする移動体通信システムにおけるユーザ機器の通信方法であって、サウンディング参照信号の送信に対するサブフレームの位置を、ユーザ機器固有に設定するために使用される第１の情報を含む無線リソース制御シグナリングを、前記基地局装置から受信し、前記サウンディング参照信号の送信を要求するか否かを指示するために使用される第２の情報を含む前記ダウンリンク制御情報フォーマットを、前記基地局装置から受信し、サブフレームｎにおいて前記ダウンリンク制御情報フォーマットを検出した後のサブフレームｎ＋４において、前記第２の情報を含む前記ダウンリンク制御情報フォーマットによってスケジューリングされた前記物理アップリンク共有チャネルでアップリンクデータを前記基地局装置に送信し、サブフレームｎにおいて前記第２の情報によって前記サウンディング参照信号の送信を要求することが指示された後の、ユーザ機器固有に設定され、且つｎ’≧ｎ＋４を満たす最初のサブフレームｎ’において、前記サウンディング参照信号を前記基地局装置に送信することを特徴とする通信方法。
【０２００】
前記サウンディング参照信号の送信に対する前記サブフレームの位置は、前記基地局装置によってセル固有に設定されたサブフレームの位置のサブセットであることを特徴とする通信方法。
【０２０１】
前記サウンディング参照信号の送信に対する前記サブフレームの位置は、アップリンクコンポーネントキャリアのそれぞれにおいて設定されることを特徴とする通信方法。
【０２０２】
前記第２の情報を含む最新の前記ダウンリンク制御情報フォーマットによって示される送信コームを用いて、前記サウンディング参照信号を前記基地局装置に送信することを特徴とする通信方法。
【０２０３】
前記第２の情報を含む最新の前記ダウンリンク制御情報フォーマットによって示されるサイクリックシフトを用いて、前記サウンディング参照信号を前記基地局装置に送信することを特徴とする通信方法。
【０２０４】
前記ダウンリンク制御情報フォーマットに含まれる前記第２の情報の検出に基づいて、前記サウンディング参照信号を送信することに加え、前記基地局装置によって前記無線リソース制御シグナリングを用いて設定されたパラメータに従って、サウンディング参照信号を前記基地局装置に周期的に送信することを特徴とする通信方法。
【０２０５】
前記周期的なサウンディング参照信号の送信と前記ダウンリンク制御情報フォーマットに含まれる前記第２の情報の検出に基づく前記サウンディング参照信号の送信とのそれぞれに対して、前記基地局装置によって独立して設定されるパラメータに従って、前記サウンディング参照信号を前記基地局装置に送信することを特徴とする通信方法。
【０２０６】
基地局装置が、ダウンリンク制御情報フォーマットを用いて、アップリンクコンポーネントキャリアにおける物理アップリンク共有チャネルをスケジューリングする移動体通信システムにおける前記基地局装置の通信方法であって、サウンディング参照信号の送信を要求するか否かを指示するために使用される第１の情報と、前記ダウンリンク制御情報フォーマットによって、前記物理アップリンク共有チャネルがスケジューリングされる前記アップリンクコンポーネントキャリアを示すために使用される第２の情報とを含む、前記ダウンリンク制御情報フォーマットをユーザ機器に送信し、前記第１の情報によって前記サウンディング参照信号の送信を要求することが指示された場合、前記第２の情報によって示される前記アップリンクコンポーネントキャリアにおいて前記サウンディング参照信号を前記ユーザ機器から受信することを特徴とする通信方法。
【０２０７】
基地局装置が、ダウンリンク制御情報フォーマットを用いて、アップリンクコンポーネントキャリアにおける物理アップリンク共有チャネルをスケジューリングする移動体通信システムにおける前記基地局装置の通信方法であって、サウンディング参照信号の送信を要求するか否かを指示するために使用される第１の情報と、前記ダウンリンク制御情報フォーマットによって、前記物理アップリンク共有チャネルがスケジューリングされる前記アップリンクコンポーネントキャリアを示すために使用される第２の情報とを含む、前記ダウンリンク制御情報フォーマットをユーザ機器に送信し、前記第２の情報によって示される前記アップリンクコンポーネントキャリアにおいて前記物理アップリンク共有チャネルでアップリンクデータを前記ユーザ機器から受信し、前記第１の情報によって前記サウンディング参照信号の送信を要求することが指示された場合、前記第２の情報によって示される前記アップリンクコンポーネントキャリアにおいて前記サウンディング参照信号を前記ユーザ機器から受信することを特徴とする通信方法。
【０２０８】
基地局装置が、ダウンリンク制御情報フォーマットを用いて、アップリンクコンポーネントキャリアにおける物理アップリンク共有チャネルをスケジューリングする移動体通信システムにおける前記基地局装置の通信方法であって、サウンディング参照信号の送信に対するサブフレームの位置を、ユーザ機器固有に設定するために使用される第１の情報を含む無線リソース制御シグナリングを、ユーザ機器に送信し、前記サウンディング参照信号の送信を要求するか否かを指示するために使用される第２の情報を含む前記ダウンリンク制御情報フォーマットを、前記ユーザ機器に送信し、前記第２の情報によって前記サウンディング参照信号の送信を要求することが指示されたことを前記ユーザ機器によって検出された後の、ユーザ機器固有に設定したサブフレームにおいて、前記サウンディング参照信号を前記ユーザ機器から受信することを特徴とする通信方法。
【０２０９】
基地局装置が、ダウンリンク制御情報フォーマットを用いて、アップリンクコンポーネントキャリアにおける物理アップリンク共有チャネルをスケジューリングする移動体通信システムにおける前記基地局装置の通信方法であって、サウンディング参照信号の送信に対するサブフレームの位置を、ユーザ機器固有に設定するために使用される第１の情報を含む無線リソース制御シグナリングを、ユーザ機器に送信し、前記サウンディング参照信号の送信を要求するか否かを指示するために使用される第２の情報を含む前記ダウンリンク制御情報フォーマットを、前記ユーザ機器に送信し、前記第２の情報を含む前記ダウンリンク制御情報フォーマットによってスケジューリングされた前記物理アップリンク共有チャネルでアップリンクデータを前記ユーザ機器から受信し、前記第２の情報によって前記サウンディング参照信号の送信を要求することが指示されたことを前記ユーザ機器によって検出された後の、ユーザ機器固有に設定したサブフレームにおいて、前記サウンディング参照信号を前記ユーザ機器から受信することを特徴とする通信方法。
【０２１０】
基地局装置が、ダウンリンク制御情報フォーマットを用いて、アップリンクコンポーネントキャリアにおける物理アップリンク共有チャネルをスケジューリングする移動体通信システムにおける前記基地局装置の通信方法であって、サウンディング参照信号の送信に対するサブフレームの位置を、ユーザ機器固有に設定するために使用される第１の情報を含む無線リソース制御シグナリングを、ユーザ機器に送信し、前記サウンディング参照信号の送信を要求するか否かを指示するために使用される第２の情報を含む前記ダウンリンク制御情報フォーマットを、前記ユーザ機器に送信し、前記第２の情報によって前記サウンディング参照信号の送信を要求することが指示されたことを、サブフレームｎにおいて前記ユーザ機器によって検出された後の、ユーザ機器固有に設定し、且つｎ’≧ｎ＋４を満たす最初のサブフレームｎ’において、前記サウンディング参照信号を前記ユーザ機器から受信することを特徴とする通信方法。
【０２１１】
基地局装置が、ダウンリンク制御情報フォーマットを用いて、アップリンクコンポーネントキャリアにおける物理アップリンク共有チャネルをスケジューリングする移動体通信システムにおける前記基地局装置の通信方法であって、サウンディング参照信号の送信に対するサブフレームの位置を、ユーザ機器固有に設定するために使用される第１の情報を含む無線リソース制御シグナリングを、ユーザ機器に送信し、前記サウンディング参照信号の送信を要求するか否かを指示するために使用される第２の情報を含む前記ダウンリンク制御情報フォーマットを、前記ユーザ機器に送信し、サブフレームｎにおいて前記ダウンリンク制御情報フォーマットが前記ユーザ機器によって検出された後のサブフレームｎ＋４において、前記第２の情報を含む前記ダウンリンク制御情報フォーマットによってスケジューリングされる前記物理アップリンク共有チャネルでアップリンクデータを前記ユーザ機器から受信し、前記第２の情報によって前記サウンディング参照信号の送信を要求することが指示されたことを、サブフレームｎにおいて前記ユーザ機器によって検出された後の、ユーザ機器固有に設定し、且つｎ’≧ｎ＋４を満たす最初のサブフレームｎ’において、前記サウンディング参照信号を前記ユーザ機器から受信することを特徴とする通信方法。
【０２１２】
前記サウンディング参照信号の送信に対する前記サブフレームの位置は、前記ユーザ機器にセル固有に設定されたサブフレームの位置のサブセットとして、前記ユーザ機器固有に設定されることを特徴とする通信方法。
【０２１３】
前記サウンディング参照信号の送信に対する前記サブフレームの位置は、アップリンクコンポーネントキャリアのそれぞれにおいて、ユーザ機器固有に設定されることを特徴とする通信方法。
【０２１４】
基地局装置が、ダウンリンク制御情報フォーマットを用いて、アップリンクコンポーネントキャリアにおける物理アップリンク共有チャネルをスケジューリングする移動体通信システムにおけるユーザ機器に搭載される集積回路であって、サウンディング参照信号の送信を要求するか否かを指示するために使用される第１の情報と、前記ダウンリンク制御情報フォーマットによって、前記物理アップリンク共有チャネルがスケジューリングされる前記アップリンクコンポーネントキャリアを示すために使用される第２の情報とを含む、前記ダウンリンク制御情報フォーマットを、前記基地局装置から受信する論理素子と、前記第１の情報によって前記サウンディング参照信号の送信を要求することが指示された場合、前記第２の情報によって示される前記アップリンクコンポーネントキャリアにおいて前記サウンディング参照信号を前記基地局装置に送信する論理素子と、を備えることを特徴とする集積回路。
【０２１５】
基地局装置が、ダウンリンク制御情報フォーマットを用いて、アップリンクコンポーネントキャリアにおける物理アップリンク共有チャネルをスケジューリングする移動体通信システムにおけるユーザ機器に搭載される集積回路であって、サウンディング参照信号の送信に対するサブフレームの位置を、ユーザ機器固有に設定するために使用される第１の情報を含む無線リソース制御シグナリングを、前記基地局装置から受信する論理素子と、前記サウンディング参照信号の送信を要求するか否かを指示するために使用される第２の情報を含む前記ダウンリンク制御情報フォーマットを、前記基地局装置から受信する論理素子と、前記第２の情報によって前記サウンディング参照信号の送信を要求することが指示された後の、ユーザ機器固有に設定されたサブフレームにおいて、前記サウンディング参照信号を前記基地局装置に送信する論理素子と、を備えることを特徴とする集積回路。
【０２１６】
基地局装置が、ダウンリンク制御情報フォーマットを用いて、アップリンクコンポーネントキャリアにおける物理アップリンク共有チャネルをスケジューリングする移動体通信システムにおけるユーザ機器に搭載される集積回路であって、サウンディング参照信号の送信に対するサブフレームの位置を、ユーザ機器固有に設定するために使用される第１の情報を含む無線リソース制御シグナリングを、前記基地局装置から受信する論理素子と、前記サウンディング参照信号の送信を要求するか否かを指示するために使用される第２の情報を含む前記ダウンリンク制御情報フォーマットを、前記基地局装置から受信する論理素子と、サブフレームｎにおいて前記第２の情報によって前記サウンディング参照信号の送信を要求することが指示された後の、ユーザ機器固有に設定され、且つｎ’≧ｎ＋４を満たす最初のサブフレームｎ’において、前記サウンディング参照信号を前記基地局装置に送信する論理素子と、を備えることを特徴とする集積回路。
【０２１７】
基地局装置が、ダウンリンク制御情報フォーマットを用いて、アップリンクコンポーネントキャリアにおける物理アップリンク共有チャネルをスケジューリングする移動体通信システムにおける前記基地局装置に搭載される集積回路であって、サウンディング参照信号の送信を要求するか否かを指示するために使用される第１の情報と、前記ダウンリンク制御情報フォーマットによって、前記物理アップリンク共有チャネルがスケジューリングされる前記アップリンクコンポーネントキャリアを示すために使用される第２の情報とを含む、前記ダウンリンク制御情報フォーマットを、ユーザ機器に送信する論理素子と、前記第１の情報によって前記サウンディング参照信号の送信を要求することが指示された場合、前記第２の情報によって示される前記アップリンクコンポーネントキャリアにおいて前記サウンディング参照信号を前記ユーザ機器から受信する論理素子と、を備えることを特徴とする集積回路。
【０２１８】
基地局装置が、ダウンリンク制御情報フォーマットを用いて、アップリンクコンポーネントキャリアにおける物理アップリンク共有チャネルをスケジューリングする移動体通信システムにおける前記基地局装置に搭載される集積回路であって、サウンディング参照信号の送信に対するサブフレームの位置を、ユーザ機器固有に設定するために使用される第１の情報を含む無線リソース制御シグナリングを、ユーザ機器に送信する論理素子と、前記サウンディング参照信号の送信を要求するか否かを指示するために使用される第２の情報を含む前記ダウンリンク制御情報フォーマットを、前記ユーザ機器に送信する論理素子と、前記第２の情報によって前記サウンディング参照信号の送信を要求することが指示されたことを前記ユーザ機器によって検出された後の、ユーザ機器固有に設定したサブフレームにおいて、前記サウンディング参照信号を前記ユーザ機器から受信する論理素子と、を備えることを特徴とする集積回路。
【０２１９】
基地局装置が、ダウンリンク制御情報フォーマットを用いて、アップリンクコンポーネントキャリアにおける物理アップリンク共有チャネルをスケジューリングする移動体通信システムにおける前記基地局装置に搭載される集積回路であって、サウンディング参照信号の送信に対するサブフレームの位置を、ユーザ機器固有に設定するために使用される第１の情報を含む無線リソース制御シグナリングを、ユーザ機器に送信する論理素子と、前記サウンディング参照信号の送信を要求するか否かを指示するために使用される第２の情報を含む前記ダウンリンク制御情報フォーマットを、前記ユーザ機器に送信する論理素子と、前記第２の情報によって前記サウンディング参照信号の送信を要求することが指示されたことを、サブフレームｎにおいて前記ユーザ機器によって検出された後の、ユーザ機器固有に設定し、且つｎ’≧ｎ＋４を満たす最初のサブフレームｎ’において、前記サウンディング参照信号を前記ユーザ機器から受信する論理素子と、を備えることを特徴とする集積回路。
【０２２０】
基地局装置が、ダウンリンク制御情報フォーマットを用いて、アップリンクコンポーネントキャリアにおける物理アップリンク共有チャネルをスケジューリングする移動体通信システムであって、前記基地局装置は、サウンディング参照信号の送信を要求するか否かを指示するために使用される第１の情報と、前記ダウンリンク制御情報フォーマットによって、前記物理アップリンク共有チャネルがスケジューリングされる前記アップリンクコンポーネントキャリアを示すために使用される第２の情報とを含む、前記ダウンリンク制御情報フォーマットをユーザ機器に送信し、前記ユーザ機器は、前記第１の情報によって前記サウンディング参照信号の送信を要求することが指示された場合、前記第２の情報によって示される前記アップリンクコンポーネントキャリアにおいて前記サウンディング参照信号を前記基地局装置に送信することを特徴とする移動体通信システム。
【０２２１】
基地局装置が、ダウンリンク制御情報フォーマットを用いて、アップリンクコンポーネントキャリアにおける物理アップリンク共有チャネルをスケジューリングする移動体通信システムであって、前記基地局装置は、サウンディング参照信号の送信に対するサブフレームの位置を、ユーザ機器固有に設定するために使用される第１の情報を含む無線リソース制御シグナリングを、ユーザ機器に送信し、前記サウンディング参照信号の送信を要求するか否かを指示するために使用される第２の情報を含む前記ダウンリンク制御情報フォーマットを、前記ユーザ機器に送信し、前記ユーザ機器は、前記第２の情報によって前記サウンディング参照信号の送信を要求することが指示された後の、ユーザ機器固有に設定されたサブフレームにおいて、前記サウンディング参照信号を前記基地局装置に送信することを特徴とする移動体通信システム。
【０２２２】
基地局装置が、ダウンリンク制御情報フォーマットを用いて、アップリンクコンポーネントキャリアにおける物理アップリンク共有チャネルをスケジューリングする移動体通信システムであって、前記基地局装置は、サウンディング参照信号の送信に対するサブフレームの位置を、ユーザ機器固有に設定するために使用される第１の情報を含む無線リソース制御シグナリングを、ユーザ機器に送信し、前記サウンディング参照信号の送信を要求するか否かを指示するために使用される第２の情報を含む前記ダウンリンク制御情報フォーマットを、前記ユーザ機器に送信し、前記ユーザ機器は、サブフレームｎにおいて前記第２の情報によって前記サウンディング参照信号の送信を要求することが指示された後の、ユーザ機器固有に設定され、且つｎ’≧ｎ＋４を満たす最初のサブフレームｎ’において、前記サウンディング参照信号を前記基地局装置に送信することを特徴とする移動体通信システム。
【０２２３】
基地局装置が、ダウンリンク制御情報フォーマットを用いて、アップリンクコンポーネントキャリアにおける物理アップリンク共有チャネルをスケジューリングする移動体通信システムにおけるユーザ機器であって、サウンディング参照信号の送信を要求するか否かを指示するために使用される第１の情報と、前記ダウンリンク制御情報フォーマットによって、前記物理アップリンク共有チャネルがスケジューリングされる前記アップリンクコンポーネントキャリアを示すために使用される第２の情報とを含む、前記ダウンリンク制御情報フォーマットを前記基地局装置から受信し、前記第１の情報によって前記サウンディング参照信号の送信を要求することが指示された場合、前記第２の情報によって示される前記アップリンクコンポーネントキャリアにおいて前記サウンディング参照信号を前記基地局装置に送信することを特徴とするユーザ機器。
【０２２４】
基地局装置が、ダウンリンク制御情報フォーマットを用いて、アップリンクコンポーネントキャリアにおける物理アップリンク共有チャネルをスケジューリングする移動体通信システムにおけるユーザ機器であって、サウンディング参照信号の送信に対するサブフレームの位置を、ユーザ機器固有に設定するために使用される第１の情報を含む無線リソース制御シグナリングを、前記基地局装置から受信し、前記サウンディング参照信号の送信を要求するか否かを指示するために使用される第２の情報を含む前記ダウンリンク制御情報フォーマットを、前記基地局装置から受信し、サブフレームｎにおいて前記第２の情報によって前記サウンディング参照信号の送信を要求することが指示された後の、ユーザ機器固有に設定され、且つｎ’≧ｎ＋４を満たす最初のサブフレームｎ’において、前記サウンディング参照信号を前記基地局装置に送信することを特徴とするユーザ機器。
【０２２５】
基地局装置が、ダウンリンク制御情報フォーマットを用いて、アップリンクコンポーネントキャリアにおける物理アップリンク共有チャネルをスケジューリングする移動体通信システムにおける前記基地局装置であって、サウンディング参照信号の送信を要求するか否かを指示するために使用される第１の情報と、前記ダウンリンク制御情報フォーマットによって、前記物理アップリンク共有チャネルがスケジューリングされる前記アップリンクコンポーネントキャリアを示すために使用される第２の情報とを含む、前記ダウンリンク制御情報フォーマットをユーザ機器に送信し、前記第１の情報によって前記サウンディング参照信号の送信を要求することが指示された場合、前記第２の情報によって示される前記アップリンクコンポーネントキャリアにおいて前記サウンディング参照信号を前記ユーザ機器から受信することを特徴とする基地局装置。
【０２２６】
基地局装置が、ダウンリンク制御情報フォーマットを用いて、アップリンクコンポーネントキャリアにおける物理アップリンク共有チャネルをスケジューリングする移動体通信システムにおける前記基地局装置であって、サウンディング参照信号の送信に対するサブフレームの位置を、ユーザ機器固有に設定するために使用される第１の情報を含む無線リソース制御シグナリングを、ユーザ機器に送信し、前記サウンディング参照信号の送信を要求するか否かを指示するために使用される第２の情報を含む前記ダウンリンク制御情報フォーマットを、前記ユーザ機器に送信し、前記第２の情報によって前記サウンディング参照信号の送信を要求することが指示されたことを、サブフレームｎにおいて前記ユーザ機器によって検出された後の、ユーザ機器固有に設定し、且つｎ’≧ｎ＋４を満たす最初のサブフレームｎ’において、前記サウンディング参照信号を前記ユーザ機器から受信することを特徴とする基地局装置。
【０２２７】
複数のアップリンクコンポーネントキャリアを用いて基地局装置と通信を行うユーザ機器であって、サウンディング参照信号の送信を要求するか否かを指示するために使用される第１の情報と、物理アップリンク共用チャネルがスケジュールされたアップリンクコンポーネントキャリアを示すために使用される第２の情報とを含むダウンリンク制御情報フォーマットを前記基地局装置から受信し、前記第１の情報によって前記サウンディング参照信号の送信を要求することが指示された場合、前記第２の情報によって示される前記アップリンクコンポーネントキャリアにおいて前記サウンディング参照信号を前記基地局装置に送信することを特徴とするユーザ機器。
【０２２８】
基地局装置と通信を行うユーザ機器であって、サウンディング参照信号を送信することが可能なサブフレームの位置をユーザ機器固有に設定するために使用される第１の情報を含む無線リソース制御シグナリングを、前記基地局装置から受信し、前記サウンディング参照信号の送信を要求するか否かを指示するために使用される第２の情報を含むダウンリンク制御情報フォーマットを、前記基地局装置から受信し、サブフレームｎにおいて前記第２の情報によって前記サウンディング参照信号の送信を要求することが指示された場合、前記第１の情報を使用して設定されたサブフレームであり、ｎ’≧ｎ＋４を満たす最初のサブフレームｎ’において前記サウンディング参照信号を前記基地局装置に送信することを特徴とするユーザ機器。
【０２２９】
複数のアップリンクコンポーネントキャリアを用いてユーザ機器と通信を行う基地局装置であって、サウンディング参照信号の送信を要求するか否かを指示するために使用される第１の情報と、物理アップリンク共用チャネルがスケジュールされたアップリンクコンポーネントキャリアを示すために使用される第２の情報とを含むダウンリンク制御情報フォーマットを前記ユーザ機器に送信し、前記第１の情報によって前記サウンディング参照信号の送信を要求することが指示された場合、前記第２の情報によって示される前記アップリンクコンポーネントキャリアにおいて前記サウンディング参照信号を前記ユーザ機器から受信することを特徴とする基地局装置。
【０２３０】
ユーザ機器と通信を行う基地局装置であって、サウンディング参照信号を送信することが可能なサブフレームの位置をユーザ機器固有に設定するために使用される第１の情報を含む無線リソース制御シグナリングを、前記ユーザ機器に送信し、前記サウンディング参照信号の送信を要求するか否かを指示するために使用される第２の情報を含むダウンリンク制御情報フォーマットを、前記ユーザ機器に送信し、前記第２の情報によって前記サウンディング参照信号の送信を要求することが指示されたことを、サブフレームｎにおいて前記ユーザ機器によって検出された場合、前記第１の情報を使用して設定したサブフレームであり、ｎ’≧ｎ＋４を満たす最初のサブフレームｎ’において前記サウンディング参照信号を前記ユーザ機器から受信することを特徴とする基地局装置。
【産業上の利用可能性】
【０２３１】
本発明は、第３世代（３Ｇ）、スーパー第３世代（Ｓ３Ｇ）、第４世代（４Ｇ）の携帯電話通信や、デジタルテレビ、無線ローカルエリアネットワーク（ＷＬＡＮ）、自己組織化ネットワーク（メッシュ、アドホック、センサーネットワーク；Mesh、Ad Hoc、Censor Network）、エレクトロニックホーム（e-home；electronic home）ネットワーク、無線広域エリアネットワーク（ＷＷＡＮ）などの、いかなるシステムにも適用可能である。
【図１】
2015006003.tif 000003
【図２】
2015006003.tif 000004
【図３】
2015006003.tif 000005
【図４】
2015006003.tif 000006
【図５】
2015006003.tif 000007
【図６】
2015006003.tif 000008
【図７】
2015006003.tif 000009
【図８】
2015006003.tif 000010
【図９】
2015006003.tif 000011